(57)【特許請求の範囲】
【請求項１】
太陽光発電管理サーバと、商用電力および太陽光発電電力を連系させて並列的に負荷に電力を供給する太陽光発電装置とを含む太陽光発電管理システムであって、
前記太陽光発電管理サーバは、
前記太陽光発電装置から太陽光発電による発電電力量と前記負荷による消費電力量とを受信するための第１の受信手段と、
前記第１の受信手段に接続され、受信した前記発電電力量と前記消費電力量とを記憶するための記憶手段と、
前記記憶手段に接続され、前記発電電力量と前記消費電力量とに基づいて、前記太陽光発電装置を設置したユーザが前記商用電力を供給する電力会社に支払う料金に関連するアドバイス情報を作成するための作成手段と、
前記作成手段に接続され、作成された前記アドバイス情報を前記太陽光発電装置に送信するための第１の送信手段とを含み、
前記太陽光発電装置は、
太陽光により発電する発電モジュールと、
前記発電モジュールと前記負荷とに接続され、太陽光発電による発電電力量と、前記負荷による消費電力量とを計測するための計測手段と、
前記計測手段に接続され、前記発電電力量と前記消費電力量とを前記太陽光発電管理サーバに送信するための第２の送信手段と、
前記太陽光発電管理サーバから前記アドバイス情報を受信するための第２の受信手段と、
前記第２の受信手段に接続され、受信した前記アドバイス情報を出力するための出力手段とを含み、
前記太陽光発電管理サーバは、複数の前記太陽光発電装置と接続され、
前記第１の受信手段は、太陽光発電装置が設置された地域を表わす情報と、太陽光発電による発電電力量と、前記負荷による消費電力量とを受信するための手段を含み、
前記作成手段は、前記複数の太陽光発電装置の発電電力量に基づいて、日照時間が同じであると推定できる地域に設置された前記太陽光発電装置の発電電力量の平均値を算出して、前記平均値を下回る発電量の太陽光電力装置に異常が発生しているというアドバイス情報を作成するための手段を含み、
前記第１の送信手段は、作成された前記アドバイス情報を、前記平均値を下回る発電量の太陽光電力装置に送信するための手段を含む、太陽光発電管理システム。
【請求項２】
前記計測手段は、太陽光発電による発電電力量と、前記負荷による消費電力量と、商用電力を供給する電力会社への売電電力量と、前記電力会社からの買電電力量とを算出するための手段を含み、
前記第２の送信手段は、前記発電電力量と前記消費電力量と前記売電電力量と前記買電電力量とを前記太陽光発電管理サーバに送信するための手段を含み、
前記第１の受信手段は、前記太陽光発電装置から前記発電電力量と前記消費電力量と前記売電電力量と前記買電電力量とを受信するための手段を含み、
前記作成手段は、前記電力会社における売電料金および買電料金とを記憶するための手段と、前記売電電力量と前記買電電力量と前記売電料金と前記買電料金とに基づいて、前記太陽光発電装置を設置したユーザが前記電力会社に支払う料金を最低にするアドバイス情報を作成するための手段とを含む、請求項１に記載の太陽光発電管理システム。
【請求項３】
太陽光発電管理サーバと、商用電力および太陽光発電電力を連系させて並列的に負荷に電力を供給する太陽光発電装置とを含む太陽光発電管理システムに用いられる太陽光発電装置であって、
前記太陽光発電管理サーバは、複数の前記太陽光発電装置と接続され、太陽光発電装置が設置された地域を表わす情報と、太陽光発電による発電電力量と、前記負荷による消費電力量とを受信して、前記複数の太陽光発電装置の発電電力量に基づいて、日照時間が同じであると推定できる地域に設置された前記太陽光発電装置の発電電力量の平均値を算出して、前記平均値を下回る発電量の太陽光電力装置に異常が発生しているというアドバイス情報を作成して、作成された前記アドバイス情報を、前記平均値を下回る発電量の太陽光電力装置に送信し、
前記太陽光発電装置は、
太陽光により発電する発電モジュールと、
前記発電モジュールと前記負荷とに接続され、太陽光発電による発電電力量と、前記負荷による消費電力量とを計測するための計測手段と、
前記計測手段に接続され、前記発電電力量と前記消費電力量とを前記太陽光発電管理サーバに送信するための第２の送信手段と、
前記太陽光発電管理サーバから前記アドバイス情報を受信するための第２の受信手段と、
前記第２の受信手段に接続され、受信した前記アドバイス情報を出力するための出力手段とを含む、太陽光発電装置。
【請求項４】
前記太陽光発電管理サーバは、前記太陽光発電装置から受信した前記発電電力量と前記消費電力量と売電電力量と買電電力量と、予め記憶された売電料金および買電料金とに基づいて、前記太陽光発電装置を設置したユーザが前記電力会社に支払う料金を最低にするアドバイス情報を作成するための手段を含み、
前記計測手段は、太陽光発電による発電電力量と、前記負荷による消費電力量と、商用電力を供給する電力会社への売電電力量と、前記電力会社からの買電電力量とを算出するための手段を含み、
前記第２の送信手段は、前記発電電力量と前記消費電力量と前記売電電力量と前記買電電力量とを前記太陽光発電管理サーバに送信するための手段を含む、請求項３に記載の太陽光発電装置。
【請求項５】
太陽光発電管理サーバと、商用電力および太陽光発電電力を連系させて並列的に負荷に電力を供給する太陽光発電装置とを含む太陽光発電管理システムに用いられる太陽光発電管理サーバであって、
太陽光発電による発電電力量と前記負荷による消費電力量とを受信するための第１の受信手段と、
前記第１の受信手段に接続され、前記発電電力量と前記消費電力量とに基づいて、前記太陽光発電装置を設置したユーザが前記商用電力を供給する電力会社に支払う料金に関連するアドバイス情報を作成するための作成手段と、
前記作成手段に接続され、作成された前記アドバイス情報を前記太陽光発電装置に送信するための第１の送信手段とを含み、
前記太陽光発電管理サーバは、複数の前記太陽光発電装置と接続され、
前記第１の受信手段は、太陽光発電装置が設置された地域を表わす情報と、太陽光発電による発電電力量と、前記負荷による消費電力量とを受信するための手段を含み、
前記作成手段は、前記複数の太陽光発電装置の発電電力量に基づいて、日照時間が同じであると推定できる地域に設置された前記太陽光発電装置の発電電力量の平均値を算出して、前記平均値を下回る発電量の太陽光電力装置に異常が発生しているというアドバイス情報を作成するための手段を含み、
前記第１の送信手段は、作成された前記アドバイス情報を、前記平均値を下回る発電量の太陽光電力装置に送信するための手段を含む、太陽光発電管理サーバ。
【請求項６】
前記太陽光発電装置は、前記発電電力量と、前記消費電力量と、商用電力を供給する電力会社への売電電力量と、前記電力会社からの買電電力量とを算出して前記太陽光発電管理サーバに送信するための手段を含み、
前記第１の受信手段は、前記太陽光発電装置から前記発電電力量と前記消費電力量と前記売電電力量と前記買電電力量とを受信するための手段を含み、
前記作成手段は、前記電力会社における売電料金および買電料金とを記憶するための手段と、前記売電電力量と前記買電電力量と前記売電料金と前記買電料金とに基づいて、前記太陽光発電装置を設置したユーザが前記電力会社に支払う料金を最低にするアドバイス情報を作成するための手段とを含む、請求項５に記載の太陽光発電管理サーバ。
【請求項７】
前記作成手段は、複数の電力会社の売電料金および買電料金とを記憶するための手段と、前記複数の電力会社の中から、前記太陽光発電装置を設置したユーザが電力会社に支払う料金を最低にする電力会社を選択して、前記アドバイス情報を作成するための手段とを含む、請求項６に記載の太陽光発電管理サーバ。
【請求項８】
太陽光発電管理サーバと、商用電力および太陽光発電電力を連系させて並列的に負荷に電力を供給する太陽光発電装置とを含む太陽光発電管理システムであって、
前記太陽光発電管理サーバは、
前記太陽光発電装置から太陽光発電による発電電力量と前記負荷による消費電力量とを受信するための第１の受信手段と、
前記第１の受信手段に接続され、受信した前記発電電力量と前記消費電力量とを記憶するための記憶手段と、
前記記憶手段に接続され、前記発電電力量と前記消費電力量とに基づいて、前記太陽光発電装置を設置したユーザが前記商用電力を供給する電力会社に支払う料金に関連するアドバイス情報を作成するための作成手段と、
前記作成手段に接続され、作成された前記アドバイス情報を前記太陽光発電装置に送信するための第１の送信手段とを含み、
前記太陽光発電装置は、
太陽光により発電する発電モジュールと、
前記発電モジュールと前記負荷とに接続され、太陽光発電による発電電力量と、前記負荷による消費電力量とを計測するための計測手段と、
前記計測手段に接続され、前記発電電力量と前記消費電力量とを前記太陽光発電管理サーバに送信するための第２の送信手段と、
前記太陽光発電管理サーバから前記アドバイス情報を受信するための第２の受信手段と、
前記第２の受信手段に接続され、受信した前記アドバイス情報を出力するための出力手段とを含み、
前記太陽光発電管理サーバは、地域および時間帯ごとの日照時間と、前記日照時間に基づいて算出される計算発電量とを記憶するための計算発電量記憶手段をさらに含み、
前記第１の受信手段は、太陽光発電装置が設置された地域を表わす地域データと、太陽光発電による発電電力量と、前記負荷による消費電力量と、前記発電電力量を計測した時間帯を表わす時間帯データとを受信するための手段を含み、
前記作成手段は、前記記憶手段と日照時間記憶手段とに接続され、受信した地域データと時間帯データとに基づいて算出される計算発電量と、受信した発電電力量とに基づいて、前記計算発電量を下回る発電電力量の太陽光電力装置に異常が発生しているというアドバイス情報を作成するための手段を含み、
前記第１の送信手段は、作成された前記アドバイス情報を、前記計算発電量を下回る発電量の太陽光電力装置に送信するための手段を含む、太陽光発電管理システム。
【請求項９】
前記計測手段は、太陽光発電による発電電力量と、前記負荷による消費電力量と、商用電力を供給する電力会社への売電電力量と、前記電力会社からの買電電力量とを算出するための手段を含み、
前記第２の送信手段は、前記発電電力量と前記消費電力量と前記売電電力量と前記買電電力量とを前記太陽光発電管理サーバに送信するための手段を含み、
前記第１の受信手段は、前記太陽光発電装置から前記発電電力量と前記消費電力量と前記売電電力量と前記買電電力量とを受信するための手段を含み、
前記作成手段は、前記電力会社における売電料金および買電料金とを記憶するための手段と、前記売電電力量と前記買電電力量と前記売電料金と前記買電料金とに基づいて、前記太陽光発電装置を設置したユーザが前記電力会社に支払う料金を最低にするアドバイス情報を作成するための手段とを含む、請求項８に記載の太陽光発電管理システム。
【請求項１０】
太陽光発電管理サーバと、商用電力および太陽光発電電力を連系させて並列的に負荷に電力を供給する太陽光発電装置とを含む太陽光発電管理システムに用いられる太陽光発電装置であって、
前記太陽光発電管理サーバは、地域および時間帯ごとの日照時間と、前記日照時間に基づいて算出される計算発電量とを記憶して、太陽光発電装置が設置された地域を表わす地域データと、太陽光発電による発電電力量と、前記負荷による消費電力量と、前記発電電力量を計測した時間帯を表わす時間帯データとを受信して、受信した地域データと時間帯データとに基づいて算出される計算発電量と、受信した発電電力量とに基づいて、前記計算発電量を下回る発電電力量の太陽光電力装置に異常が発生しているというアドバイス情報を作成して、作成された前記アドバイス情報を、前記計算発電量を下回る発電量の太陽光電力装置に送信し、
前記太陽光発電装置は、
太陽光により発電する発電モジュールと、
前記発電モジュールと前記負荷とに接続され、太陽光発電による発電電力量と、前記負荷による消費電力量とを計測するための計測手段と、
前記計測手段に接続され、前記発電電力量と前記消費電力量とを前記太陽光発電管理サーバに送信するための第２の送信手段と、
前記太陽光発電管理サーバから前記アドバイス情報を受信するための第２の受信手段と、
前記第２の受信手段に接続され、受信した前記アドバイス情報を出力するための出力手段とを含む、太陽光発電装置。
【請求項１１】
前記太陽光発電管理サーバは、前記太陽光発電装置から受信した前記発電電力量と前記消費電力量と売電電力量と買電電力量と、予め記憶された売電料金および買電料金とに基づいて、前記太陽光発電装置を設置したユーザが前記電力会社に支払う料金を最低にするアドバイス情報を作成し、
前記計測手段は、太陽光発電による発電電力量と、前記負荷による消費電力量と、商用電力を供給する電力会社への売電電力量と、前記電力会社からの買電電力量とを算出するための手段を含み、
前記第２の送信手段は、前記発電電力量と前記消費電力量と前記売電電力量と前記買電電力量とを前記太陽光発電管理サーバに送信するための手段を含む、請求項１０に記載の太陽光発電装置。
【請求項１２】
太陽光発電管理サーバと、商用電力および太陽光発電電力を連系させて並列的に負荷に電力を供給する太陽光発電装置とを含む太陽光発電管理システムに用いられる太陽光発電管理サーバであって、
太陽光発電による発電電力量と前記負荷による消費電力量とを受信するための第１の受信手段と、
前記第１の受信手段に接続され、前記発電電力量と前記消費電力量とに基づいて、前記太陽光発電装置を設置したユーザが前記商用電力を供給する電力会社に支払う料金に関連するアドバイス情報を作成するための作成手段と、
前記作成手段に接続され、作成された前記アドバイス情報を前記太陽光発電装置に送信するための第１の送信手段と、
地域および時間帯ごとの日照時間と、前記日照時間に基づいて算出される計算発電量とを記憶するための計算発電量記憶手段とを含み、
前記第１の受信手段は、太陽光発電装置が設置された地域を表わす地域データと、太陽光発電による発電電力量と、前記負荷による消費電力量と、前記発電電力量を計測した時間帯を表わす時間帯データとを受信するための手段を含み、
前記作成手段は、前記記憶手段と日照時間記憶手段とに接続され、受信した地域データと時間帯データとに基づいて算出される計算発電量と、受信した発電電力量とに基づいて、前記計算発電量を下回る発電電力量の太陽光電力装置に異常が発生しているというアドバイス情報を作成するための手段を含み、
前記第１の送信手段は、作成された前記アドバイス情報を、前記計算発電量を下回る発電量の太陽光電力装置に送信するための手段を含む、太陽光発電管理サーバ。
【請求項１３】
前記太陽光発電装置は、前記発電電力量と、前記消費電力量と、商用電力を供給する電力会社への売電電力量と、前記電力会社からの買電電力量とを算出して前記太陽光発電管理サーバに送信するための手段を含み、
前記第１の受信手段は、前記太陽光発電装置から前記発電電力量と前記消費電力量と前記売電電力量と前記買電電力量とを受信するための手段を含み、
前記作成手段は、前記電力会社における売電料金および買電料金とを記憶するための手段と、前記売電電力量と前記買電電力量と前記売電料金と前記買電料金とに基づいて、前記太陽光発電装置を設置したユーザが前記電力会社に支払う料金を最低にするアドバイス情報を作成するための手段とを含む、請求項１２に記載の太陽光発電管理サーバ。
【請求項１４】
前記作成手段は、複数の電力会社の売電料金および買電料金とを記憶するための手段と、前記複数の電力会社の中から、前記太陽光発電装置を設置したユーザが電力会社に支払う料金を最低にする電力会社を選択して、前記アドバイス情報を作成するための手段とを含む、請求項１３に記載の太陽光発電管理サーバ。
【請求項１５】
太陽光発電管理サーバと、商用電力および太陽光発電電力を連系させて並列的に負荷に電力を供給する太陽光発電装置とを含む太陽光発電管理システムに用いられる太陽光発電管理サーバであって、
太陽光発電による発電電力量と前記負荷による消費電力量とを受信するための第１の受信手段と、
前記第１の受信手段に接続され、前記発電電力量と前記消費電力量とに基づいて、前記太陽光発電装置を設置したユーザが前記商用電力を供給する電力会社に支払う料金に関連するアドバイス情報を作成するための作成手段と、
前記作成手段に接続され、作成された前記アドバイス情報を前記太陽光発電装置に送信するための第１の送信手段と含み、
前記作成手段は、前記記憶手段に接続され、前記太陽光発電装置の発電電力量と消費電力量とに基づいて、前記消費電力量に対する前記発電電力量の比率を前記アドバイス情報として作成するための手段を含む、太陽光発電管理サーバ。
【請求項１６】
太陽光発電管理サーバと、商用電力および太陽光発電電力を連系させて並列的に負荷に電力を供給する太陽光発電装置とを含む太陽光発電管理システムに用いられる太陽光発電管理サーバであって、
太陽光発電による発電電力量と前記負荷による消費電力量とを受信するための第１の受信手段と、
前記第１の受信手段に接続され、前記発電電力量と前記消費電力量とに基づいて、前記太陽光発電装置を設置したユーザが前記商用電力を供給する電力会社に支払う料金に関連するアドバイス情報を作成するための作成手段と、
前記作成手段に接続され、作成された前記アドバイス情報を前記太陽光発電装置に送信するための第１の送信手段と含み、
前記太陽光発電管理サーバは、複数の前記太陽光発電装置と接続され、
前記作成手段は、前記複数の太陽光発電装置の発電電力量と消費電力量とに基づいて前記消費電力量に対する前記発電電力量の比率の平均値を算出し、算出された前記平均値と各前記太陽光発電装置における前記比率とを比較した情報を前記アドバイス情報として作成するための手段を含む、太陽光発電管理サーバ。
【請求項１７】
前記アドバイス情報は、前記複数の太陽光発電装置を設置した複数のユーザを前記比率の多い順に並べ替えたユーザの一覧を表わす情報である、請求項１６に記載の太陽光発電管理サーバ。
【請求項１８】
太陽光発電管理サーバと、商用電力および太陽光発電電力を連系させて並列的に負荷に電力を供給する太陽光発電装置とを含む太陽光発電管理システムに用いられる太陽光発電管理サーバであって、
太陽光発電による発電電力量と前記負荷による消費電力量とを受信するための第１の受信手段と、
前記第１の受信手段に接続され、前記発電電力量と前記消費電力量とに基づいて、前記太陽光発電装置を設置したユーザが前記商用電力を供給する電力会社に支払う料金に関連するアドバイス情報を作成するための作成手段と、
前記作成手段に接続され、作成された前記アドバイス情報を前記太陽光発電装置に送信するための第１の送信手段と含み、
前記太陽光発電管理サーバは、複数の前記太陽光発電装置と接続され、前記太陽光発電装置は、発電モジュールの短絡電流値を測定して前記太陽光発電装置に送信するための手段を含み、
前記第１の受信手段は、太陽光発電装置が設置された地域を表わす情報と、前記短絡電流値とを受信するための手段を含み、
前記作成手段は、前記複数の太陽光発電装置の短絡電流値に基づいて、日照時間が同じであると推定できる地域に設置された前記短絡電流値の平均値を算出して、前記平均値を下回る短絡電流値の発電モジュールを含む太陽光電力装置に異常が発生しているというアドバイス情報を作成するための手段を含み、
前記第１の送信手段は、作成された前記アドバイス情報を、前記平均値を下回る短絡電流値の発電モジュールを含む太陽光電力装置に送信するための手段を含む、太陽光発電管理サーバ。
【発明の詳細な説明】
【０００１】
【発明の属する技術分野】
本発明は、住宅等に設置され、商用電源と連系して運転される系統連系分散型太陽光発電装置に関し、特に、このような太陽光発電装置を設置したユーザへ各種サービスを提供する技術に関する。
【０００２】
【従来の技術】
近年、地球環境対策の観点から各種エネルギー利用の見直しが図られ、特に太陽エネルギーを利用する太陽電池においては、クリーンなエネルギー供給源の代表として期待されている。この太陽電池からの発電による分散型電源と商用電源とを連系し、分散型電源だけでは必要な消費電力が賄えない場合に、その電力を系統側の商用電源から供給するようにした系統連系分散型太陽光発電装置が開発されている。
【０００３】
このような太陽光発電装置の保守会社または系統連系している電力会社より委託された保守会社が、系統連系分散型太陽光発電装置の運転状況をオンラインで収集して異常の有無を監視する太陽光発電装置が、特開平１１−２０６０３８号公報に開示されている。
【０００４】
この公報に開示された太陽光発電装置は、太陽電池アレイが発電した直流電力を交流電力に変換するインバータ回路と、太陽電池アレイとインバータ回路との間およびインバータ回路と分電盤との間に接続される開閉器と、太陽光発電装置を制御するとともに、太陽電池アレイまたはインバータ回路の異常を検出したときに開閉器を開く制御回路と、制御回路と通信回線とに接続され、検出した異常に関するエラー情報を通信回線を介して所定の事業者に送信する送受信部とを含み、制御回路は、所定の事業者が通信回線を介してアクセスが可能であり、太陽光発電装置の運転情報を所定の事業者が収集する回路と、所定の事業者からの指示に従ってインバータ回路を停止させる回路とを含む。
【０００５】
この公報に開示された太陽光発電装置によると、連系インバータ装置に異常が発生したときに制御回路が異常を検出し、開閉器を自動的に開くことにより、高い安全性を確保できる。また、ユーザー宅から通信回線を介してサービス会社等の所定の事業者にエラー情報を自動的かつリアルタイムに通報するため、メンテナンスや修理を直ちに行なうことができる。また、定期的または不定期的に管理会社等の所定の事業者が通信回線を介してユーザー宅の連系インバータ装置の運転情報を収集し、発電量の大小変動の確認や異常の兆候等をチェックするため、より高いレベルのセキュリティとサービスとが提供できる。さらに、商用系統に重大な異常が発生したときには、電力会社等の所定の事業者により通信回線を介したリモートコントロールによりインバータ回路を停止するので、高いセキュリティを確保できる。
【０００６】
【発明が解決しようとする課題】
しかしながら、上述の公報に開示された太陽光発電装置では、高いセキュリティを実現できても、高額の費用を投資して太陽光発電装置を設置したユーザにとっては、太陽光発電装置設置後の費用の発生を抑え、太陽光発電装置の投資コストを早期に回収したいという要求を満足させることができない。
【０００７】
本発明は、上述の課題を解決するためになされたものであって、太陽光発電装置を設置したユーザの費用の発生を抑えることにより、ユーザの太陽光発電装置の導入意欲が高まり、クリーンなエネルギーである太陽光発電による発電量を増加させることができる、太陽光発電管理システム、そのシステムに用いられる太陽光発電管理サーバ、太陽光発電装置、太陽光発電管理方法およびその方法を実現するプログラムを記録した機械読取可能な記録媒体を提供することである。
【０００８】
【課題を解決するための手段】
第１の発明に係る太陽光発電管理システムは、太陽光発電管理サーバと、商用電力および太陽光発電電力を連系させて並列的に負荷に電力を供給する太陽光発電装置とを含む太陽光発電管理システムであって、太陽光発電管理サーバは、太陽光発電装置から太陽光発電による発電電力量と負荷による消費電力量とを受信するための第１の受信手段と、第１の受信手段に接続され、受信した発電電力量と消費電力量とを記憶するための記憶手段と、記憶手段に接続され、発電電力量と消費電力量とに基づいて、太陽光発電装置を設置したユーザが商用電力を供給する電力会社に支払う料金に関連するアドバイス情報を作成するための作成手段と、作成手段に接続され、作成されたアドバイス情報を太陽光発電装置に送信するための第１の送信手段とを含み、太陽光発電装置は、太陽光により発電する発電モジュールと、発電モジュールと負荷とに接続され、太陽光発電による発電電力量と、負荷による消費電力量とを計測するための計測手段と、計測手段に接続され、発電電力量と消費電力量とを太陽光発電管理サーバに送信するための第２の送信手段と、太陽光発電管理サーバからアドバイス情報を受信するための第２の受信手段と、第２の受信手段に接続され、受信したアドバイス情報を出力するための出力手段とを含む。
【０００９】
第１の発明によると、第２の送信手段は、計測手段が計測した太陽光発電による発電電力量と負荷による消費電力量とを、太陽光発電管理サーバに送信する。作成手段は、第１の受信手段が受信した発電電力量と消費電力量とに基づいて、太陽光発電装置を設置したユーザが商用電力を供給する電力会社に支払う料金に関連するアドバイス情報を作成する。第１の送信手段は、作成されたアドバイス情報を太陽光発電装置に送信する。出力手段は、第２の受信手段が太陽光発電管理サーバから受信したアドバイス情報を出力する。これにより、発電電力量が消費電力量を上回ると電力会社へ売電し、下回ると電力会社から買電する場合に、太陽光発電装置を設置したユーザに有利になるように、たとえば、買電料金から売電料金を差し引いた、電力会社へ支払う電気料金が最小になるように、アドバイス情報を作成してユーザに提示できる。また、支払う電気料金がさらに少なくなるように発電電力を上げたり、消費電力を下げたりするようにアドバイス情報を作成してユーザに提示できる。その結果、太陽光発電装置を設置したユーザの費用の発生を抑えることにより、ユーザの太陽光発電装置の導入意欲が高まり、クリーンなエネルギーである太陽光発電による発電量を増加させることができる、太陽光発電管理システムを提供することができる。
【００１０】
第２の発明に係る太陽光発電管理システムは、第１の発明の構成に加えて、計測手段は、太陽光発電による発電電力量と、負荷による消費電力量と、商用電力を供給する電力会社への売電電力量と、電力会社からの買電電力量とを算出するための手段を含み、第２の送信手段は、発電電力量と消費電力量と売電電力量と買電電力量とを太陽光発電管理サーバに送信するための手段を含み、第１の受信手段は、太陽光発電装置から発電電力量と消費電力量と売電電力量と買電電力量とを受信するための手段を含み、作成手段は、電力会社における売電料金および買電料金とを記憶するための手段と、売電電力量と買電電力量と売電料金と買電料金とに基づいて、太陽光発電装置を設置したユーザが電力会社に支払う料金を最低にするアドバイス情報を作成するための手段とを含む。
【００１１】
第２の発明によると、第２の送信手段は、計測手段により計測された発電電力量と消費電力量と売電電力量と買電電力量とを太陽光発電管理サーバに送信する。作成手段は、記憶された電力会社における売電料金および買電料金と、第１の受信手段が受信した売電電力量と買電電力量と売電料金と買電料金とに基づいて、太陽光発電装置を設置したユーザが電力会社に支払う料金を最低にするアドバイス情報を作成する。これにより、太陽光発電装置を設置したユーザが電力会社へ支払う電気料金が最小になるように、アドバイス情報を作成してユーザに提示できる。その結果、太陽光発電装置を設置したユーザの費用の発生を抑えることにより、ユーザの太陽光発電装置の導入意欲が高まり、クリーンなエネルギーである太陽光発電による発電量を増加させることができる、太陽光発電管理システムを提供することができる。
【００１２】
第３の発明に係る太陽光発電装置は、太陽光発電管理サーバと、商用電力および太陽光発電電力を連系させて並列的に負荷に電力を供給する太陽光発電装置とを含む太陽光発電管理システムに用いられる太陽光発電装置であって、太陽光により発電する発電モジュールと、発電モジュールと負荷とに接続され、太陽光発電による発電電力量と、負荷による消費電力量とを計測するための計測手段と、計測手段に接続され、発電電力量と消費電力量とを太陽光発電管理サーバに送信するための第２の送信手段と、太陽光発電管理サーバからアドバイス情報を受信するための第２の受信手段と、第２の受信手段に接続され、受信したアドバイス情報を出力するための出力手段とを含む。
【００１３】
第３の発明によると、第２の送信手段は、計測手段が計測した太陽光発電による発電電力量と負荷による消費電力量とを、太陽光発電管理サーバに送信する。第２の受信手段は、太陽光発電管理サーバからアドバイス情報を受信する。出力手段は、第２の受信手段が太陽光発電管理サーバから受信したアドバイス情報を出力する。これにより、太陽光発電装置を設置したユーザに有利になるように、たとえば、買電料金から売電料金を差し引いた、電力会社へ支払う電気料金が最小になるように、太陽光発電管理サーバが作成したアドバイス情報をユーザに提示できる。また、支払う電気料金がさらに少なくなるように発電電力を上げたり、消費電力を下げたりするようにアドバイス情報を作成してユーザに提示できる。その結果、太陽光発電装置を設置したユーザの費用の発生を抑えることにより、ユーザの太陽光発電装置の導入意欲が高まり、クリーンなエネルギーである太陽光発電による発電量を増加させることができる、太陽光発電装置管理を提供することができる。
【００１４】
第４の発明に係る太陽光発電装置は、第３の発明の構成に加えて、太陽光発電管理サーバは、太陽光発電装置から受信した発電電力量と消費電力量と売電電力量と買電電力量と予め記憶された売電料金および買電料金とに基づいて、太陽光発電装置を設置したユーザが電力会社に支払う料金を最低にするアドバイス情報を作成するための手段を含み、計測手段は、太陽光発電による発電電力量と、負荷による消費電力量と、商用電力を供給する電力会社への売電電力量と、電力会社からの買電電力量とを算出するための手段を含み、第２の送信手段は、発電電力量と消費電力量と売電電力量と買電電力量とを太陽光発電管理サーバに送信するための手段を含む。
【００１５】
第４の発明によると、第２の送信手段は、計測手段により計測された発電電力量と消費電力量と売電電力量と買電電力量とを太陽光発電装置に送信する。第２の受信手段は、売電電力量と買電電力量と売電料金と買電料金と売電料金および買電料金とに基づいて太陽光発電管理サーバが作成したアドバイス情報を受信する。これにより、太陽光発電装置を設置したユーザが電力会社へ支払う電気料金が最小になるように、太陽光発電管理サーバが作成したアドバイス情報をユーザに提示できる。その結果、太陽光発電装置を設置したユーザの費用の発生を抑えることにより、ユーザの太陽光発電装置の導入意欲が高まり、クリーンなエネルギーである太陽光発電による発電量を増加させることができる、太陽光発電装置を提供することができる。
【００１６】
第５の発明に係る太陽光発電装置は、商用電力および太陽光発電電力を連系させて並列的に負荷に電力を供給する太陽光発電装置であって、太陽光により発電する発電モジュールと、発電モジュールと負荷とに接続され、太陽光発電による発電電力量と、負荷による消費電力量と、商用電力を供給する電力会社への売電電力量と、電力会社からの買電電力量とを計測するための計測手段と、電力会社における売電料金および買電料金とを記憶するための料金記憶手段と、計測手段と料金記憶手段とに接続され、売電電力量と買電電力量と売電料金と買電料金とに基づいて、太陽光発電装置を設置したユーザが電力会社に支払う料金を最低にするアドバイス情報を作成するための作成手段と、作成手段に接続され、作成されたアドバイス情報を出力するための出力手段とを含む。
【００１７】
第５の発明によると、作成手段は、計測手段により計測された発電電力量と消費電力量と売電電力量と買電電力量と、料金記憶手段に記憶された電力会社における売電料金および買電料金とに基づいて、太陽光発電装置を設置したユーザが電力会社に支払う料金を最低にするアドバイス情報を作成する。これにより、太陽光発電装置を設置したユーザが電力会社へ支払う電気料金が最小になるように、アドバイス情報を作成してユーザに提示できる。その結果、太陽光発電装置を設置したユーザの費用の発生を抑えることにより、ユーザの太陽光発電装置の導入意欲が高まり、クリーンなエネルギーである太陽光発電による発電量を増加させることができる、太陽光発電装置を提供することができる。
【００１８】
第６の発明に係る太陽光発電管理サーバは、太陽光発電管理サーバと、商用電力および太陽光発電電力を連系させて並列的に負荷に電力を供給する太陽光発電装置とを含む太陽光発電管理システムに用いられる太陽光発電管理サーバであって、太陽光発電による発電電力量と負荷による消費電力量とを受信するための第１の受信手段と、第１の受信手段に接続され、発電電力量と消費電力量とに基づいて、太陽光発電装置を設置したユーザが商用電力を供給する電力会社に支払う料金に関連するアドバイス情報を作成するための作成手段と、作成手段に接続され、作成されたアドバイス情報を太陽光発電装置に送信するための第１の送信手段とを含む。
【００１９】
第６の発明によると、第１の受信手段は、太陽光発電による発電電力量と負荷による消費電力量とを受信する。作成手段は、第１の受信手段が受信した発電電力量と消費電力量とに基づいて、太陽光発電装置を設置したユーザが商用電力を供給する電力会社に支払う料金に関連するアドバイス情報を作成する。第１の送信手段は、算出されたアドバイス情報を太陽光発電装置に送信する。これにより、発電電力量が消費電力量を上回ると電力会社へ売電し、下回ると電力会社から買電する場合に、太陽光発電装置を設置したユーザに有利になるように、たとえば、買電料金から売電料金を差し引いた、電力会社へ支払う電気料金が最小になるように、アドバイス情報を作成してユーザに提示できる。また、支払う電気料金がさらに少なくなるように発電電力を上げたり、消費電力を下げたりするようにアドバイス情報を作成してユーザに提示できる。その結果、太陽光発電装置を設置したユーザの費用の発生を抑えることにより、ユーザの太陽光発電装置の導入意欲が高まり、クリーンなエネルギーである太陽光発電による発電量を増加させることができる、太陽光発電管理サーバを提供することができる。
【００２０】
第７の発明に係る太陽光発電管理サーバは、第６の発明の構成に加えて、太陽光発電装置は、発電電力量と、消費電力量と、商用電力を供給する電力会社への売電電力量と、電力会社からの買電電力量とを算出して太陽光発電管理サーバに送信するための手段を含み、第１の受信手段は、太陽光発電装置から発電電力量と消費電力量と売電電力量と買電電力量とを受信するための手段を含み、作成手段は、電力会社における売電料金および買電料金とを記憶するための手段と、売電電力量と買電電力量と売電料金と買電料金とに基づいて、太陽光発電装置を設置したユーザが電力会社に支払う料金を最低にするアドバイス情報を作成するための手段とを含む。
【００２１】
第７の発明によると、第１の受信手段は、発電電力量と消費電力量と売電電力量と買電電力量とを受信する。作成手段は、記憶された電力会社における売電料金および買電料金と、第１の受信手段が受信した売電電力量と買電電力量と売電料金と買電料金とに基づいて、太陽光発電装置を設置したユーザが電力会社に支払う料金を最低にするアドバイス情報を作成する。これにより、太陽光発電装置を設置したユーザが電力会社へ支払う電気料金が最小になるように、アドバイス情報を作成してユーザに提示できる。その結果、太陽光発電装置を設置したユーザの費用の発生を抑えることにより、ユーザの太陽光発電装置の導入意欲が高まり、クリーンなエネルギーである太陽光発電による発電量を増加させることができる、太陽光発電管理サーバを提供することができる。
【００２２】
第８の発明に係る太陽光発電管理サーバは、第７の発明の構成に加えて、作成手段は、複数の電力会社の売電料金および買電料金とを記憶するための手段と、複数の電力会社の中から、太陽光発電装置を設置したユーザが電力会社に支払う料金を最低にする電力会社を選択して、アドバイス情報を作成するための手段とを含む。
【００２３】
第８の発明によると、ユーザが複数の電力会社から買電可能な場合に、作成手段は、複数の電力会社から、支払う電気料金が最低になる電力会社を選択して、アドバイス情報を作成できる。
【００２４】
第９の発明に係る太陽光発電管理サーバは、第６の発明の構成に加えて、複数の太陽光発電装置と接続され、第１の受信手段は、太陽光発電装置が設置された地域を表わす情報と、太陽光発電による発電電力量と、負荷による消費電力量とを受信するための手段を含み、作成手段は、複数の太陽光発電装置の発電電力量に基づいて、日照時間が同じであると推定できる地域に設置された太陽光発電装置の発電電力量の平均値を算出して、平均値を下回る発電量の太陽光電力装置に異常が発生しているというアドバイス情報を作成するための手段を含み、第１の送信手段は、作成されたアドバイス情報を、平均値を下回る発電量の太陽光電力装置に送信するための手段を含む。
【００２５】
第９の発明によると、第１の受信手段は、太陽光発電装置が設置された地域を表わす情報と、太陽光発電による発電電力量とを受信する。作成手段は、複数の太陽光発電装置の発電電力量に基づいて、日照時間が同じであると推定できる地域に設置された太陽光発電装置の発電電力量（単位発電容量あたり）の平均値を算出して、平均値を下回る発電電力量の太陽光電力装置に異常が発生しているというアドバイス情報を作成する。これにより、日照時間が同じであるにもかかわらず、発電電力量が少ないことに基づいて太陽光発電装置に発生した異常を検知できる。この異常を取り除くことにより、発電電力量を増加させることができる。その結果、太陽光発電装置を設置したユーザの費用の発生を抑えることができる太陽光発電管理サーバを提供することができる。
【００２６】
第１０の発明に係る太陽光発電管理サーバは、第６の発明の構成に加えて、地域および時間帯ごとの日照時間と、日照時間に基づいて算出される計算発電量とを記憶するための計算発電量記憶手段をさらに含み、第１の受信手段は、太陽光発電装置が設置された地域を表わす地域データと、太陽光発電による発電電力量と、負荷による消費電力量と、発電電力量を計測した時間帯を表わす時間帯データとを受信するための手段を含み、作成手段は、記憶手段と日照時間記憶手段とに接続され、受信した地域データと時間帯データとに基づいて算出される計算発電量と、受信した発電電力量とに基づいて、計算電力量を下回る発電電力量の太陽光電力装置に異常が発生しているというアドバイス情報を作成するための手段を含み、第１の送信手段は、作成されたアドバイス情報を、平均値を下回る発電量の太陽光電力装置に送信するための手段を含む。
【００２７】
第１０の発明によると、計算発電量記憶手段は、地域および時間帯毎の日照時間と、日照時間に基づいて算出される計算発電量とを記憶する。第１の受信手段は、太陽光発電装置が設置された地域を表わす地域データと、太陽光発電による発電電力量と、発電電力量を計測した時間帯を表わす時間帯データとを受信する。作成手段は、受信した地域データと時間帯データとに基づいて算出される計算発電量（単位発電容量あたり）と、受信した発電電力量とに基づいて、計算電力量を下回る発電電力量の太陽光電力装置に異常が発生しているというアドバイス情報を作成する。これにより、計算される発電電力量よりも計測した発電電力量が少ないことに基づいて太陽光発電装置に発生した異常を検知できる。この異常を取り除くことにより、発電電力量を増加させることができる。その結果、太陽光発電装置を設置したユーザの費用の発生を抑えることができる太陽光発電管理サーバを提供することができる。
【００２８】
第１１の発明に係る太陽光発電管理サーバは、第６の発明の構成に加えて、作成手段は、記憶手段に接続され、太陽光発電装置の発電電力量と消費電力量とに基づいて、消費電力量に対する発電電力量の比率をアドバイス情報として作成するための手段を含む。
【００２９】
第１１の発明によると、作成手段は、消費電力量に対する発電電力量の比率を向上させるようなアドバイス情報を作成することができ、比率が向上すると、電力会社へ支払う電気料金が削減できる。
【００３０】
第１２の発明に係る太陽光発電管理サーバは、第６の発明の構成に加えて、複数の太陽光発電装置と接続され、作成手段は、複数の太陽光発電装置の発電電力量と消費電力量とに基づいて消費電力量に対する発電電力量の比率の平均値を算出し、算出された平均値と各太陽光発電装置における比率とを比較した情報をアドバイス情報として作成するための手段を含む。
【００３１】
第１２の発明によると、作成手段は、消費電力量に対する発電電力量の比率の平均値よりも低い比率にならないようなアドバイス情報を作成することができ、比率が向上すると、電力会社へ支払う電気料金が削減できる。
【００３２】
第１３の発明に係る太陽光発電管理サーバは、第１２の発明の構成に加えて、アドバイス情報は、複数の太陽光発電装置を設置した複数のユーザを比率の多い順に並べ替えたユーザの一覧を表わす情報である。
【００３３】
第１３の発明によると、作成手段は、複数のユーザにおける比率の多い順のユーザの一覧に基づいて、ユーザどうしを競い合わせて、比率を上昇させるようなアドバイス情報を作成することができる。比率が向上すると、電力会社へ支払う電気料金が削減できる。
【００３４】
第１４の発明に係る太陽光発電管理サーバは、第６の発明の構成に加えて、複数の太陽光発電装置と接続され、太陽光発電装置は、発電モジュールの短絡電流値を測定して太陽光発電装置に送信するための手段を含み、第１の受信手段は、太陽光発電装置が設置された地域を表わす情報と、短絡電流値とを受信するための手段を含み、作成手段は、複数の太陽光発電装置の短絡電流値に基づいて、日照時間が同じであると推定できる地域に設置された短絡電流値の平均値を算出して、平均値を下回る短絡電流値の発電モジュールを含む太陽光電力装置に異常が発生しているというアドバイス情報を作成するための手段を含み、第１の送信手段は、作成されたアドバイス情報を、平均値を下回る短絡電流値の発電モジュールを含む太陽光電力装置に送信するための手段を含む。
【００３５】
第１４の発明によると、第１の受信手段は、短絡電流値を太陽光発電装置から受信する。作成手段は、第１の受信手段が受信した複数の太陽光発電装置の短絡電流値に基づいて、日照時間が同じであると推定できる地域に設置された短絡電流値の平均値（単位発電容量あたり）を算出して、平均値を下回る短絡電流値の発電モジュールを含む太陽光電力装置に異常が発生しているというアドバイス情報を作成する。これにより、日照時間が同じであるにもかかわらず、短絡電流値が少ないことに基づいて太陽光発電装置に発生した異常を検知できる。この異常を取り除くことにより、発電電力量を増加させることができる。その結果、太陽光発電装置を設置したユーザの費用の発生を抑えることができる太陽光発電管理サーバを提供することができる。
【００３６】
第１５の発明に係る太陽光発電管理方法は、太陽光発電管理サーバと、商用電力および太陽光発電電力を連系させて並列的に負荷に電力を供給する太陽光発電装置とを含む太陽光発電管理システムに用いられる太陽光発電管理サーバにおける太陽光発電管理方法であって、太陽光発電装置から、太陽光発電による発電電力量と負荷による消費電力量とを受信する受信ステップと、受信した発電電力量と消費電力量とを記憶する記憶ステップと、発電電力量と消費電力量とに基づいて、太陽光発電装置を設置したユーザが商用電力を供給する電力会社に支払う料金に関連するアドバイス情報を作成する作成ステップと、作成ステップにて作成されたアドバイス情報を太陽光発電装置に送信する送信ステップとを含む。
【００３７】
第１５の発明によると、受信ステップにて、太陽光発電装置から、太陽光発電による発電電力量と負荷による消費電力量とを受信する。作成ステップにて、発電電力量と消費電力量とに基づいて、太陽光発電装置を設置したユーザが商用電力を供給する電力会社に支払う料金に関連するアドバイス情報を作成する。これにより、発電電力量が消費電力量を上回ると電力会社へ売電し、下回ると電力会社から買電する場合に、太陽光発電装置を設置したユーザに有利になるように、たとえば、買電料金から売電料金を差し引いた、電力会社へ支払う電気料金が最小になるように、アドバイス情報を作成してユーザに提示できる。また、支払う電気料金がさらに少なくなるように発電電力を上げたり、消費電力を下げたりするようにアドバイス情報を作成してユーザに提示できる。その結果、太陽光発電装置を設置したユーザの費用の発生を抑えることにより、ユーザの太陽光発電装置の導入意欲が高まり、クリーンなエネルギーである太陽光発電による発電量を増加させることができる、太陽光発電管理方法を提供することができる。
【００３８】
第１６の発明に係る記録媒体は、太陽光発電管理サーバと、商用電力および太陽光発電電力を連系させて並列的に負荷に電力を供給する太陽光発電装置とを含む太陽光発電管理システムに用いられる太陽光発電管理サーバにおける太陽光発電管理方法を実現するプログラムを記録した機械読取可能な記録媒体であって、太陽光発電管理方法は、太陽光発電装置から、太陽光発電による発電電力量と負荷による消費電力量とを受信する受信ステップと、受信した発電電力量と消費電力量とを記憶する記憶ステップと、発電電力量と消費電力量とに基づいて、太陽光発電装置を設置したユーザが商用電力を供給する電力会社に支払う料金に関連するアドバイス情報を作成する作成ステップと、作成ステップにて作成されたアドバイス情報を太陽光発電装置に送信する送信ステップとを含む。
【００３９】
第１６の発明によると、受信ステップにて、太陽光発電装置から、太陽光発電による発電電力量と負荷による消費電力量とを受信する。作成ステップにて、発電電力量と消費電力量とに基づいて、太陽光発電装置を設置したユーザが商用電力を供給する電力会社に支払う料金に関連するアドバイス情報を作成する。これにより、発電電力量が消費電力量を上回ると電力会社へ売電し、下回ると電力会社から買電する場合に、太陽光発電装置を設置したユーザに有利になるように、たとえば、買電料金から売電料金を差し引いた、電力会社へ支払う電気料金が最小になるように、アドバイス情報を作成してユーザに提示できる。また、支払う電気料金がさらに少なくなるように発電電力を上げたり、消費電力を下げたりするようにアドバイス情報を作成してユーザに提示できる。その結果、太陽光発電装置を設置したユーザの費用の発生を抑えることにより、ユーザの太陽光発電装置の導入意欲が高まり、クリーンなエネルギーである太陽光発電による発電量を増加させることができる、太陽光発電管理方法を実現するプログラムを記録した機械読取可能な記録媒体を提供することができる。
【００４０】
【発明の実施の形態】
以下、図面を参照しつつ、本発明の実施の形態について説明する。以下の説明では、同一の部品には同一の符号を付してある。それらの名称および機能も同じである。したがってそれらについての詳細な説明は繰返さない。
【００４１】
図１を参照して、本発明の実施の形態に係る太陽光発電管理システムの全体構成について説明する。この太陽光発電管理システムは、ユーザの住宅の屋根などに設置された太陽電池アレイ１１０を含む複数の太陽光発電装置１００と、ユーザ毎にアドバイス情報を作成して太陽光発電装置１００に送信する太陽光発電管理サーバ４００と、各地域毎および各時間帯毎の日照量を太陽光発電管理サーバ１００に送信するオンライン気象情報配信サーバ５００と、太陽光発電装置１００に異常が発生したことを受信して各ユーザ宅にメンテナンス要員を派遣するメンテナンス業者のネットワーク端末６００〜６０４と、各電力会社のネットワーク端末２０２、２１２、２２２とを含む。これらの太陽光発電装置１００、電力会社のネットワーク端末２０２、２１２、２２２、太陽光発電管理サーバ４００、オンライン気象情報配信サーバ５００、メンテナンス業者のネットワーク端末６００〜６０４は、ネットワーク３００を介して接続され、データの送受信を互いに行なうことができる。また、各ユーザは、複数の電力会社から商用電力の供給を受けることができるものとする。
【００４２】
図１に示すように、太陽光発電装置１００は、太陽光エネルギを電気エネルギに変換する太陽電池アレイ１１０と、太陽電池アレイ１１０に接続され、太陽電池アレイ１１０で発生した直流電流を交流電流に変換したり、ネットワーク３００を介して太陽光発電管理サーバ４００と通信したりするパワーコンディショナ１２０と、パワーコンディショナ１２０に接続され、太陽電池アレイ１１０で発生した電力および各電力会社から供給される商用電力を各負荷に供給する開閉部１４０と、開閉部１４０に接続され、太陽光発電装置１００が設置されたユーザが使用する電気機器などのユーザ負荷１５０と、太陽光発電装置１００から電力会社へ売却する売電電力を測定する売電電力計１６０と、電力会社から購入する買電電力を測定する買電電力計１７０とを含む。
【００４３】
パワーコンディショナ１２０は、太陽電池アレイ１１０にて発生した直流電流を交流電流に変換するＤＣ／ＡＣインバータ部１２２と、ＤＣ／ＡＣインバータ部１２２に接続され、短絡電流を測定する短絡電流測定回路１２４と、ＤＣ／ＡＣインバータ部１２２および短絡電流測定回路１２４に接続され、パワーコンディショナの各部を制御する制御部１２６と、制御部１２６に接続され、各種データを処理したり各種データを記憶したりするデータ処理・記憶部１３０と、データ処理・記憶部１３０に接続され、ネットワーク３００を介して太陽光発電管理サーバ４００と通信する通信インターフェイス１２８と、データ処理・記憶部１３０に接続され、太陽光発電管理サーバ４００にアドバイス情報の受信を要求したり、太陽光発電管理サーバ４００から受信したアドバイス情報を表示したりする表示・操作部（リモートコントローラ）１３２とを含む。
【００４４】
短絡電流測定回路１２４は、制御部１２６からの制御信号により、入力インピーダンスを変化させて、ＤＣ／ＡＣインバータ部１２２への直流入力電圧を２０ボルト以下に制御し、このときの太陽電池アレイ１１０からＤＣ／ＡＣインバータ部１２２への入力電流を測定する。測定された入力電流値を短絡電流値という。短絡電流値は、日射強度に比例するものである。毎日南中時刻等に測定した短絡電流値が低下したことにより、太陽電池アレイ１１０に発生した異常を検知したり、太陽電池アレイ１１０の一部に日陰等が発生して日射量が減少したことなどを検知したりできる。
【００４５】
データ処理・記憶部１３０は、制御部１２６の制御信号により、各時間帯毎の発電電力量、消費電力量、売電電力量および買電電力量を記憶する。記憶された時間帯毎の発電電力量、消費電力量、売電電力量および買電電力量は、制御部１２６からの制御信号により、通信インターフェイス１２８およびネットワーク３００を介して太陽光発電管理サーバ４００に送信される。このデータは、測定されて積算された１時間分のデータを、毎時０５分に太陽光発電管理サーバ４００に送信する。
【００４６】
開閉部１４０は、ＤＣ／ＡＣインバータ部１２０と、売電電力量計１６０とに接続され、ユーザ負荷１５０が消費する消費電力を測定する電力検出センサ１４２を含む。このとき電力検出すセンサ１４２により測定される消費電力は、太陽電池アレイ１１０による発電電力と電力会社の配電網からの商用電力とが供給されたユーザ負荷１５０が消費した電力である。
【００４７】
売電電力量計１６０は、電力検出センサ１４２と買電電力量計１７０とに接続され、いずれかの電力会社へ売却する売電電力の電力量を測定する。なお、このとき測定される売電電力量は、発電電力量から消費電力量を差し引いた電力量と等しくなる。
【００４８】
買電電力量計１７０は、売電電力量計１６０と、Ａ電力会社配電網２００、Ｂ電力会社配電網２１０およびＣ電力会社配電網２２０のいずれかの電力会社配電網とに接続され、いずれかの電力会社から購入する買電電力の電力量を測定する。なお、このとき測定される買電電力量は、消費電力量から発電電力量を差し引いた電力量と等しくなる。
【００４９】
Ａ電力会社、Ｂ電力会社およびＣ電力会社は、それぞれの電力会社毎に、ネットワーク３００を介して、太陽電池発電装置１００のパワーコンディショナ１２０および太陽光発電管理サーバ４００と、データ通信が可能なネットワーク端末２０２、２１２、２２２を含む。これらのネットワーク端末２０２、２１２、２２２は、たとえば、太陽光発電管理サーバ４００から異常発生情報を受信して、異常が発生した太陽光発電装置１００のパワーコンディショナ１２０の制御部１２６に、ＤＣ／ＡＣインバータ部１２２の機能の停止を指示する。
【００５０】
太陽光発電管理サーバ４００は、太陽光発電装置１００を接続したユーザ情報を記憶したユーザ情報データベース４０２と、全国各地の地域毎の気象情報を記憶した気象情報データベース４０４とに接続されている。また、太陽光発電管理サーバ４００は、全国各地域毎に設置された管理拠点毎に設置された管理端末４０６と接続されている。太陽光発電管理サーバ４００は、オンライン気象配信サーバ５００から、各時間帯毎に各地域毎の日照量データを受信し、気象情報データベース４０４に記憶する。
【００５１】
本実施の形態に係る太陽光発電管理サーバ４００における処理は、パーソナルコンピュータまたはワークステーションなど、コンピュータ上で実行されるソフトウェアにより実現される。
【００５２】
図２に、太陽光発電管理サーバ４００の一例であるコンピュータの外観を示す。図２を参照してこのコンピュータ４５０は、ＦＤ（Ｆｌｅｘｉｂｌｅ  Ｄｉｓｋ）駆動装置４５６およびＣＤ−ＲＯＭ（Ｃｏｍｐａｃｔ  Ｄｉｓｃ−Ｒｅａｄ  Ｏｎｌｙ  Ｍｅｍｏｒｙ）駆動装置４５８を備えたコンピュータ本体４５２と、モニタ４５４と、キーボード４６０と、マウス４６２とを含む。
【００５３】
図３に、このコンピュータ４５０の構成をブロック図形式で示す。図３に示すように、コンピュータ本体４５２は、上記したＦＤ駆動装置４５６およびＣＤ−ＲＯＭ駆動装置４５８に加えて、相互にバスで接続されたＣＰＵ（Ｃｅｎｔｒａｌ  Ｐｒｏｃｅｓｓｉｎｇ  Ｕｎｉｔ）４７０と、メモリ４７２と、固定ディスク４７４とを含む。ＦＤ駆動装置４５６にはＦＤ４６６が装着される。ＣＤ−ＲＯＭ駆動装置４５８にはＣＤ−ＲＯＭ４６８が装着される。
【００５４】
既に述べたように、太陽光発電管理サーバ４００は、コンピュータハードウェアとＣＰＵ４７０により実行されるソフトウェアとにより実現される。一般的にこうしたソフトウェアは、ＦＤ４６６、ＣＤ−ＲＯＭ４６８などの記録媒体に格納されて流通し、ＦＤ駆動装置４５６またはＣＤ−ＲＯＭ駆動装置４５８などにより記録媒体から読取られて固定ディスク４７４に一旦格納される。さらに固定ディスク４７４からメモリ４７２に読出されて、ＣＰＵ４７０により実行される。図２および図３に示したコンピュータのハードウェア自体は一般的なものである。したがって、本発明の最も本質的な部分は、ＦＤ４６６、ＣＤ−ＲＯＭ４６８、固定ディスク４７４などの記録媒体に記録されたソフトウェアである。
【００５５】
なお、図２および図３に示したコンピュータ自体の動作は周知であるので、ここではその詳細な説明は繰返さない。
【００５６】
図４を参照して、太陽光発電管理サーバ４００で実行されるプログラムは、アドバイス処理に関し、以下のような制御構造を有する。
【００５７】
ステップ（以下、ステップをＳと略す。）１００にて、ＣＰＵ４７０は、キーボード４６０などから入力された各ユーザの太陽光発電装置１００の定格発電容量の入力を検知する。
【００５８】
Ｓ１０２にて、ＣＰＵ４７０は、キーボード４６０などから入力された、各ユーザの負荷容量の入力を検知する。
【００５９】
Ｓ１０４にて、ＣＰＵ４７０は、Ｓ１００およびＳ１０２にて入力された発電容量と負荷容量とを、固定ディスク４７４のユーザ情報管理データベースに登録する。また、このときこれらのデータとともに、ユーザを特定するためのユーザＩＤ（ｉｄｅｎｔｉｆｉｃａｔｉｏｎ）、太陽光発電装置１００が設置された地域を特定するための地域ＩＤ等が登録される。地域ＩＤは、太陽光発電装置１００が設置された地域を特定するものであって、日射量が同一と推定される地域毎に１つのＩＤが割当てられる。
【００６０】
Ｓ１０６にて、ＣＰＵ４７０は、ネットワーク３００を介して太陽光発電装置１００のパワーコンディショナ１２０から、ユーザＩＤと検知データとを受信したか否かを判断する。なお、このデータは、パワーコンディショナ１２０から毎時０５分に太陽光発電管理サーバ４００に送信される。パワーコンディショナ１２０からユーザＩＤと検知データとを受信すると（Ｓ１０６にてＹＥＳ）、処理はＳ１０８へ移される。一方、パワーコンディショナ１２０からユーザＩＤと検知データとを受信しないと（Ｓ１０６にてＮＯ）、パワーコンディショナ１２０からのユーザＩＤおよび検知データの受信を待つ。
【００６１】
Ｓ１０８にて、ＣＰＵ４７０は、Ｓ１０６にて受信したユーザＩＤ毎に、検知データを固定ディスク４７４のユーザ情報管理データベースに記憶して、パワーコンディショナ１２２に受信完了データを送信する。
【００６２】
Ｓ１１０にて、ＣＰＵ４７０は、アドバイス情報の作成処理を行なう。このアドバイス情報の作成処理の詳細については後述する。
【００６３】
Ｓ１１２にて、ＣＰＵ４７０は、Ｓ１１０にて作成したアドバイス情報を固定ディスク４７４に記憶する。
【００６４】
Ｓ１１４にて、ＣＰＵ４７０は、現在時刻がアドバイス情報の送信時刻であるか否かを判断する。現在時刻がアドバイス情報の送信時刻である場合には（Ｓ１１４にてＹＥＳ）、処理はＳ１１６に移される。一方、現在時刻がアドバイス情報の送信時刻でない場合には（Ｓ１１４にてＮＯ）、処理はＳ１０６へ戻される。送信時刻は、予め設定されているものであり、たとえば、１日に１回、６時間に１回等に設定されている。
【００６５】
Ｓ１１６にて、ＣＰＵ４７０は、作成したアドバイス情報を、各ユーザの太陽光発電装置１００のパワーコンディショナ１２０に送信する。
【００６６】
図５を参照して、太陽光発電装置で実行されるプログラムは、データ検知処理に関し、以下のような制御構造を有する。
【００６７】
Ｓ２００にて、制御部１２６は、ＤＣ／ＡＣインバータ部１２２を介して、太陽光発電装置１００の発電電力量を検知する。
【００６８】
Ｓ２０２にて、制御部１２６は、電力検知センサ１４２を介して、ユーザ負荷１５０の消費電力量を検知する。
【００６９】
Ｓ２０４にて、制御部１２６は、売電電力量および買電電力量を算出する。売電電力量は、売電電力量計１６０が検知した電力量により、買電電力量は、買電電力量計１７０が検知した電力量により求めることができる。また、売電電力量は、太陽光発電装置１００の発電電力量から、電力検知センサ１４２が検知した消費電力量を減算することにより求めることができる。買電電力量は、電力検知センサ１４２が検知した消費電力量から、太陽光発電装置１００の発電電力量を減算することにより求めることができる。売電電力量および買電電力量の算出は上述のいずれの方法であってもよい。
【００７０】
Ｓ２０６にて、制御部１２６は、Ｓ２０２〜Ｓ２０４にて検知した検知データおよび算出した算出データを積算して、時間帯毎の発電電力量、消費電力量、売電電力量および買電電力量を記憶する。
【００７１】
Ｓ２０８にて、制御部１２６は、現在時刻が南中時刻であるか否かを判断する。各太陽光発電装置１００のデータ処理・記憶部１３０には、太陽光発電装置１００が設置された地域における南中時刻が記憶されている。この記憶された南中時刻と現在時刻とに基づいて、現在時刻が南中時刻である場合には（Ｓ２０８にてＹＥＳ）、処理はＳ２１０へ移される。一方、現在時刻が南中時刻でない場合には（Ｓ２０８にてＮＯ）、処理はＳ２１２へ移される。
【００７２】
Ｓ２１０にて、制御部１２６は、短絡電流測定回路１２４を介して、太陽電池アレイ１１０からＤＣ／ＡＣインバータ部１２２へ入力される短絡電流値を測定して、検知データに追加する。
【００７３】
Ｓ２１２にて、制御部１２６は、現在時刻がデータ送信時刻であるか否かを判断する。本実施の形態においては、データ送信時刻は毎時０５分として説明する。現在時刻がデータ送信時刻である場合には（Ｓ２１２にてＹＥＳ）、処理はＳ２１０へ移される。一方、現在時刻がデータ送信時刻でない場合には（Ｓ２１２にてＮＯ）、処理はＳ２００へ戻され、再度検知データおよび算出データを積算して、各時間帯毎の発電電力量、消費電力量、売電電力量および買電電力量を記憶する。
【００７４】
Ｓ２１４にて、制御部１２６は、データ処理・記憶部１３０に記憶された検知データおよび算出データを通信インターフェイス１２８およびネットワーク３００を介して太陽光発電管理サーバ４００に送信する。
【００７５】
Ｓ２１６にて、制御部１２６は、太陽光発電管理サーバ４００から受信完了データを受信したか否かを判断する。太陽光発電管理サーバ１００から受信完了データを受信すると（Ｓ２１６にてＹＥＳ）、データ検知処理は終了する。一方、太陽光発電管理サーバ４００から受信完了データを受信しないと（Ｓ２１６にてＮＯ）、処理はＳ２１８へ移される。
【００７６】
Ｓ２１８にて、制御部１２６は、検知データおよび算出データを太陽光発電管理サーバ４００に送信してから一定時間が経過したか否かを判断する。検知データおよび算出データの送信してから一定時間が経過すると（Ｓ２１８にてＹＥＳ）、処理はＳ２２０へ移され、通信エラー処理を行なう。一方、検知データおよび算出データの送信してから一定時間が経過するまでは（Ｓ２１８にてＮＯ）、処理はＳ２１６へ戻され、太陽光発電管理サーバ１００からの受信完了データの受信を待つ。
【００７７】
図６を参照して、太陽光発電装置１００のパワーコンディショナ１２０から太陽光発電管理サーバへ送信される通信データの構造について説明する。図６に示すように、太陽光発電装置１００から太陽光発電管理サーバ４００へ、毎時０５分に送信されるデータには、通信ヘッダ、ユーザＩＤ、毎時発電電力量データ、毎時消費電力量データ、毎時買電電力量データ、毎時売電電力量データおよび短絡電流データを含む。なお、短絡電流データについては、毎時０５分に送信されるものではなく、南中時刻を含む時間帯のデータにのみ追加されて送信される。
【００７８】
図７を参照して、太陽光発電管理サーバ４００の固定ディスク４７４に記憶されるユーザ情報管理データベースについて説明する。図７に示すように、ユーザ情報管理データベースは、図４のＳ１０４にて登録されたユーザＩＤ、地域ＩＤなどを記憶する登録データ記憶エリアと、発電電力の実績値を記憶する発電電力記憶エリアと、異常検知情報を記憶する異常検知情報記憶エリアと、消費電力の実績値を記憶する消費電力記憶エリアと、消費電力に対する発電電力の比率を示す自家発電率の実績値を記憶する自家発電率記憶エリアと、売電電力の実績値を記憶する売電電力記憶エリアと、買電電力の実績値を記憶する買電電力記憶エリアと、時間帯別の発電電力を月毎に積算した時間帯別発電電力記憶エリアと、時間帯別の消費電力を、月毎に積算した時間帯別消費電力を記憶する時間帯別消費電力記憶エリアと、時間帯別買電電力を月毎に積算した時間帯別買電電力を記憶する時間帯別買電電力記憶エリアと、時間帯別売電電力を、月毎に積算した時間帯別売電電力を記憶する時間帯別売電電力記憶エリアと、Ａ電力会社の電力料金約款に基づいて算出されたＡ電力会社の各契約種類毎の電力料金を記憶したＡ電力会社電力料金記憶エリアと、Ｂ電力会社の電力料金約款に基づいて算出されたＢ電力会社の各契約種類毎の電力料金を記憶したＢ電力会社電力料金記憶エリア等とを含む。
【００７９】
登録データ記憶エリアは、太陽光発電装置１００を設置したユーザを特定するためのユーザＩＤと、太陽光発電装置１００が設置された地域を特定するための地域ＩＤと、太陽電池アレイ１１０の形式を表わすデータと、パワーコンディショナ１２０の形式を表わすデータと、図４のＳ１０４にて登録された太陽電池アレイ１１０の発電容量を表わすデータと、図４のＳ１０４にて登録された各ユーザのユーザ負荷１５０の負荷容量を表わすデータと、パワーコンディショナ１２０から最新のデータを受信した時刻とを含む。
【００８０】
発電電力記憶エリアは、パワーコンディショナ１２０から最新に受信した発電電力値のデータと、受信した発電電力を日毎に積算したデータと、受信した発電電力を月毎に積算したデータとを含む。
【００８１】
異常検知情報記憶エリアには、地域ＩＤが同じ地域における発電電力量の平均値を表わすデータと、オンライン気象情報配信サーバ５００から受信した地域ＩＤ毎の日射量と、その日射量に基づいて計算された各地域における計算発電電力量を表わすデータと、パワーコンディショナ１２０から受信した短絡電流値と、地域ＩＤが同じ地域における短絡電流値の平均値とを含む。地域ＩＤが同じ地域における発電電力量の平均値よりも、受信した発電電力量が、たとえば２０％以上、下回っている場合に異常発生が検知される。また、地域ＩＤが同じ地域における計算発電電力よりも、受信した発電電力量が、たとえば２０％以上、下回っている場合に異常発生が検知される。また、地域ＩＤが同じ地域における短絡電流の平均値よりも、受信した短絡電流値が、たとえば２０％以上、下回っている場合に異常発生が検知される。
【００８２】
消費電力記憶エリアは、パワーコンディショナ１２０から最新に受信した消費電力と、受信した消費電力を日毎に積算したデータと、受信した消費電力を月毎に積算したデータとを含む。
【００８３】
自家発電率記憶エリアは、自家発電率の月平均を表わすデータと、地域ＩＤが同じ地域における太陽光発電装置１００の自家発電率の月平均を表わすデータと、自家発電率に基づいて算出された地域ＩＤ毎の各ユーザの順位を表わすデータとを含む。
【００８４】
売電電力記憶エリアは、パワーコンディショナ１２０から最新に受信した売電電力と、受信した売電電力を日毎に積算したデータと、受信した売電電力を月毎に積算したデータとを含む。
【００８５】
買電電力記憶エリアは、パワーコンディショナ１２０から最新に受信した買電電力と、受信した買電電力を日毎に積算したデータと受信した買電電力を月毎に積算したデータとを含む。
【００８６】
時間帯別発電電力記憶エリア、時間帯別消費電力記憶エリア、時間帯別買電電力記憶エリアおよび時間帯別売電電力記憶エリアは、各時間帯毎にそれぞれの電力量のデータを記憶する。
【００８７】
電力会社電力料金記憶エリアは、各電力会社の約款に従って契約可能な電力売買契約毎に、売電電力と買電電力とから算出される電力料金が記憶される。たとえば、Ａ電力会社電力料金については、従量電灯Ａ、従量電灯Ｂおよび時間帯別電灯の３つの電力売買契約に基づいて算出された、契約毎の電力料金が記憶される。
【００８８】
なお、時間帯別発電電力、時間帯別消費電力、時間帯別買電電力および時間帯別売電電力は、各時間帯毎に１ヶ月分が積算され、その１ヶ月分のデータが１２ヶ月分記憶される。
【００８９】
図８を参照して、図４のＳ１１０に示すアドバイス情報作成処理は、以下のような制御構造を有する。なお、このアドバイス情報作成処理は、前日の２４時間分のデータを、０時０５分に受信した後に行なってもよいし、数時間毎に行なってもよい。
【００９０】
Ｓ１２０にて、ＣＰＵ４７０は、各ユーザ毎に、受信したデータに基づいて、時間帯毎の発電電力量、消費電力量、買電電力量および売電電力量を記憶する。このとき、図７に示すユーザ情報データベースの各記憶エリアにこれらの情報が記憶される。
【００９１】
Ｓ１２２にて、ＣＰＵ４７０は、各ユーザ毎に、受信したデータに基づいて、その日の発電電力量、消費電力量、買電電力量および売電電力量を積算する。
【００９２】
Ｓ１２４にて、ＣＰＵ４７０は、地域ＩＤが同じユーザを抽出して、地域毎の積算発電電力量の平均値を算出する。このとき、ＣＰＵ４７０は、各ユーザ毎に、積算発電電力量を登録発電容量で除算した発電容量１ｋＷあたりの発電電力量を計算して、計算された発電電力量に基づいて、地域毎の平均値（この平均値を積算発電電力量の平均値という。）を算出する。算出された積算発電電力量の平均値は、図７に示すユーザ情報データベースの異常検知情報記憶エリアに記憶される。
【００９３】
Ｓ１２６にて、ＣＰＵ４７０は、Ｓ１２４にて算出した平均値よりも２０％以上発電電力量が下回るユーザのユーザＩＤを抽出する。
【００９４】
Ｓ１２８にて、ＣＰＵ４７０は、Ｓ１２６にて抽出したユーザ向けのアドバイス情報として、太陽光発電装置１００に異常発生の可能性を表わす情報を作成して固定ディスク４７４に記憶する。
【００９５】
図９を参照して、Ｓ１３０にて、ＣＰＵ４７０は、地域ＩＤに基づいて、地域毎かつ時間帯毎の日射量データを、図７に示す地域内日射量データから読出す。なお、この地域毎かつ時間帯毎の日射量データは、オンライン気象情報配信サーバ５００から受信される。
【００９６】
Ｓ１３２にて、ＣＰＵ４７０は、Ｓ１３０にて読出した日射量データに基づいて、計算発電電力量を算出する。このとき、ＣＰＵ４７０は、各地域毎に、日射量データに基づいて計算上の発電電力量を計算して、各ユーザ毎に、計算上の発電電力量を登録発電容量で除算した発電容量１ｋＷあたりの計算発電電力量を算出する。算出された計算発電電力量は、図７に示すユーザ情報データベースの異常検知情報記憶エリアに記憶される。
【００９７】
Ｓ１３４にて、ＣＰＵ４７０は、受信した発電電力量が、Ｓ１３２にて算出した計算発電電力量よりも２０％以上下回るユーザのユーザＩＤを抽出する。
【００９８】
Ｓ１３６にて、ＣＰＵ４７０は、Ｓ１３４にて抽出したユーザ向けのアドバイス情報として、太陽光発電装置１００に異常発生の可能性を表わす情報を作成する。
【００９９】
図１０を参照して、Ｓ１３８にて、ＣＰＵ４７０は、受信したデータの中に短絡電流値のデータがあるか否かを判断する。短絡電流値のデータがある場合には（Ｓ１３８にてＹＥＳ）、処理はＳ１４０へ移される。一方、短絡電流値のデータがない場合には（Ｓ１３８にてＮＯ）、Ｓ１４０〜Ｓ１４４の処理は行なわれず、処理は図１１のＳ１４６へ移される。
【０１００】
Ｓ１４０にて、ＣＰＵ４７０は、地域ＩＤが同じユーザを抽出して、地域毎の短絡電流値の平均値を算出する。このとき、ＣＰＵ４７０は、各ユーザ毎に、短絡電流値を登録発電容量で除算した発電容量１ｋＷあたりの短絡電流値を計算して、計算された短絡電流値に基づいて、地域毎の平均値（この平均値を短絡電流平均値という。）を算出する。算出された短絡電流平均値は、図７に示すユーザ情報データベースの異常検知情報記憶エリアに記憶される。
【０１０１】
Ｓ１４２にて、ＣＰＵ４７０は、受信した短絡電流値が、Ｓ１４０にて算出した短絡電流平均値よりも２０％以上下回るユーザのユーザＩＤを抽出する。
【０１０２】
Ｓ１４４にて、ＣＰＵ４７０は、Ｓ１４２にて抽出したユーザ向けのアドバイス情報として、太陽光発電装置１００に異常発生の可能性を表わす情報を作成する。なお、各ユーザ毎に短絡電流値の経時的変化を記録しておき、短絡電流値の経時的変化に基づいて、太陽光発電装置１００に異常発生の可能性を表わす情報を作成してもよい。
【０１０３】
図１１を参照して、Ｓ１４６にて、ＣＰＵ４７０は、本日が月末日であるか否かを判断する。本日が月末日である場合には（Ｓ１４６にてＹＥＳ）、処理はＳ１４８へ移される。一方、本日が月末日でない場合には（Ｓ１４６にてＮＯ）、アドバイス情報作成処理は終了する。
【０１０４】
Ｓ１４８にて、ＣＰＵ４７０は、月末日の最終データを受信したか否かを判断する。具体的には、月末日の２３時台のデータを次の日の０時０５分に受信したことにより、以下のＳ１５０〜Ｓ１５６の処理が行なわれる。月末日の最終データを受信すると（Ｓ１４８にてＹＥＳ）、処理はＳ１５０へ移される。一方、月末日の最終データを受信するまでは（Ｓ１４８にてＮＯ）、このアドバイス情報作成処理は終了する。
【０１０５】
Ｓ１５０にて、ＣＰＵ４７０は、１ヶ月分の発電電力量と消費電力量とに基づいて、自家発電率（＝発電電力量／消費電力量）を算出する。
【０１０６】
Ｓ１５２にて、ＣＰＵ４７０は、Ｓ１５０にて算出した自家発電率を図７の自家発電率記憶エリアに記憶する。
【０１０７】
Ｓ１５４にて、ＣＰＵ４７０は、算出した自家発電率に基づいて、地域ＩＤが同じ地域における自家発電率の平均値を算出する。また、ＣＰＵ４７０は、算出した自家発電率に基づいて、地域ＩＤ毎の各ユーザの順位を算出する。算出された自家発電率の平均値および自家発電率に基づくユーザの順位は、図７に示すユーザ情報データベースの自家発電率記憶エリアに記憶される。
【０１０８】
Ｓ１５６にて、Ｓ１５２にて算出した自家発電率と、Ｓ１５４にて算出した自家発電率の平均値と自家発電率順位とに基づいて、アドバイス情報を作成する。
【０１０９】
図１２を参照して、Ｓ１５８にて、ＣＰＵ４７０は、各ユーザの時間帯別電力チャートを作成する。具体的には、今月分についての、時間帯別消費電力と時間帯別発電電力とを算出する。
【０１１０】
Ｓ１６０にて、時間帯別の買電電力量を算出する。このとき時間帯毎に、消費電力量から発電電力量を減算することにより時間帯別の買電電力量を算出してもよいし、図７に示す時間帯別買電電力記憶エリアに記憶された時間帯別の買電電力に基づいて時間帯別の買電電力を算出してもよい。
【０１１１】
Ｓ１６２にて、ＣＰＵ４７０は、時間帯別の売電電力量を算出する。時間帯別の売電電力量は、時間帯毎の発電電力量から消費電力量を減算することにより算出してもよいし、図７に示す時間帯別売電電力記憶エリアに記憶された時間帯別売電電力を読出すことにより算出してもよい。
【０１１２】
Ｓ１６４にて、ＣＰＵ４７０は、電力会社別の買電・売電料金テーブルを読出す。この電力会社別の買電・売電料金テーブルは、予め、固定ディスク４７４に記憶されている。また、この電力会社別の買電・売電料金テーブルは、図１に示す電力会社毎のネットワーク端末２０２、２１２、２２２から、太陽光発電管理サーバ４００が受信して固定ディスク４７４に記憶する。各電力会社のネットワーク端末２０２、２１２、２２２は、電力料金が変更される毎に買電・売電料金テーブルを太陽光発電管理サーバ４００に送信する。
【０１１３】
なお、以下の説明では、電力会社毎に、主として一般家庭向けの従量電灯Ａ契約、主として事業者向けの従量電灯Ｂ契約、および、時間帯毎に電力料金単価が異なる時間帯別電灯契約の３つの契約があり、各ユーザはこれらの契約のいずれかを選択して電力会社と契約することができるものとして説明する。
【０１１４】
Ｓ１６６にて、ＣＰＵ４７０は、今月を含む過去１２ヶ月分の電力料金を電力会社別かつ契約種類別に算出する。
【０１１５】
Ｓ１６８にて、ＣＰＵ４７０は、買電電力に対する電力会社への支払料金から売電電力に対する電力会社からの受取料金を差し引いた金額が、最も安くなる電力会社と契約種類とを抽出する。
【０１１６】
Ｓ１７０にて、ＣＰＵ４７０は、抽出した電力会社、契約種類および算出した電力料金に基づくアドバイス情報を作成する。
【０１１７】
図１３を参照して、太陽光発電装置１００で実行されるプログラムは、アドバイス情報表示処理に関し、以下のような制御構造を有する。
【０１１８】
Ｓ２３０にて、制御部１２６は、太陽光発電管理サーバ４００からアドバイス情報を受信したか否かを判断する。これは、図４のＳ１１６における太陽光発電関理サーバ４００からの送信に応答するものである。太陽光発電管理サーバ４００からアドバイス情報を受信すると（Ｓ２３０にてＹＥＳ）、処理はＳ２３６へ移される。一方、太陽光発電管理サーバ４００からアドバイス情報を受信しないと（Ｓ２３０にてＮＯ）、処理はＳ２３２に移される。
【０１１９】
Ｓ２３２にて、制御部１２６は、表示・操作部１３２に、発電電力量を表示する。この発電電力量は、ＤＣ／ＡＣインバータ部１２２を介して制御部１２６が検知した電力量である。
【０１２０】
Ｓ２３４にて、制御部１２６は、表示・操作部１３２において表示切換操作が行なわれたか否かを判断する。表示・操作部１３２において表示切換操作が行なわれると（Ｓ２３４にてＹＥＳ）、処理はＳ２３８に移される。一方、表示・操作部１３２において表示切換操作が行なわれないと（Ｓ２３４にてＮＯ）、処理はＳ２３０に戻され、太陽光発電管理サーバ４００からアドバイス情報を受信したか否かが判断される。
【０１２１】
Ｓ２３６にて、制御部１２６は、Ｓ２３０にて受信したアドバイス情報をデータ処理・記憶部１３０に記憶する。
【０１２２】
Ｓ２３８にて、制御部１２６は、Ｓ２３６にてデータ処理・記憶部１３０に記憶したアドバイス情報を読出す。
【０１２３】
Ｓ２４０にて、制御部１２６は、Ｓ２３８にて読出したアドバイス情報を表示・操作部１３２に表示する。
【０１２４】
Ｓ２４２にて、制御部１２６は、アドバイス情報を表示・操作部１３２に表示してから一定時間が経過したか否かを判断する。アドバイス情報を表示してから一定時間が経過すると（Ｓ２４２にてＹＥＳ）、処理はＳ２４４に移される。一方、アドバイス情報を表示してから一定時間が経過するまでは（Ｓ２４２にてＮＯ）、処理はＳ２４２へ戻され、一定時間が経過するまで待つ。
【０１２５】
Ｓ２４４にて、制御部１２６は、表示・操作部１３２において表示終了入力が行なわれたか否かを判断する。表示操作部１３２において表示終了入力が行なわれると（Ｓ２４４にてＹＥＳ）、アドバイス情報表示処理は終了する。一方、表示・操作部１３２において表示終了入力が行なわれないと（Ｓ２４４にてＮＯ）、処理はＳ２３２へ戻され、アドバイス情報の表示から発電電力量の表示に切換える。
【０１２６】
以上のような構造およびフローチャートに基づく、太陽光発電管理システムの動作について説明する。
【０１２７】
［パワーコンディショナ  データ検知動作］
パワーコンディショナ１２０は、ＤＣ／ＡＣインバータ部１２２と電力検出センサ１４２とを介して、太陽光発電装置１００の発電電力量と、ユーザ負荷１５０の消費電力量とを検知する（Ｓ２００、Ｓ２０２）。パワーコンディショナ１２０は、検知した発電電力量と消費電力量とから売電電力量および買電電力量を算出する（Ｓ２０４）。なお、上述の説明の通り、売電電力量は売電電力量計１６０が検知した値、および、買電電力量は買電電力量計１７０が検知した値により、算出してもかまわない。発電電力量、消費電力量、売電電力量および買電電力量が時間帯毎に積算されて、データ処理・記憶部１３０に記憶される。
【０１２８】
現在時刻が南中時刻になると（Ｓ２０８にてＹＥＳ）、制御部１２６が短絡電流測定装置１２４を介してＤＣ／ＡＣインバータ部１２２への入力電流値（短絡電流値）を測定して、検知データに追加する（Ｓ２１０）。
【０１２９】
現在時刻が毎時０５分になると（Ｓ２１２にてＹＥＳ）、パワーコンディショナ１２０は、通信インターフェイス１２８を介して検知データおよび算出データを太陽光発電管理サーバ４００に送信する（Ｓ２１４）。パワーコンディショナ１２０は、受信完了データを太陽光発電管理サーバ４００から受信すると（Ｓ２１６にてＹＥＳ）、データ検知動作を終了する。一方、一定時間が経過するまでに（Ｓ２１８にてＹＥＳ）、受信完了データを受信しないと（Ｓ２１６にてＮＯ）、通信エラー処理が行なわれる（Ｓ２２０）。
【０１３０】
［太陽光発電管理サーバ  アドバイス動作］
太陽光発電管理サーバ４００には、初期設定として、各ユーザ毎に、太陽光発電装置１００の定格発電容量と、ユーザ負荷１５０の負荷容量とが入力され（Ｓ１００、Ｓ１０２）、入力された発電容量と負荷容量とが図７に示すユーザ情報データベースに登録される（Ｓ１０４）。また、ユーザＩＤ、地域ＩＤなどのデータが、ユーザ情報データベースに登録される。
【０１３１】
太陽光発電管理サーバ４００は、毎時０５分に、ユーザＩＤと検知データとをパワーコンディショナ１２０から受信すると（Ｓ１０６にてＹＥＳ）、受信したユーザＩＤ毎に検知データをユーザ情報データベースに記憶する。太陽光発電管理サーバ４００は、受信完了データを、ユーザＩＤと検知データとを送信してきたパワーコンディショナ１２０に送信する（Ｓ１０８）。
【０１３２】
太陽光発電管理サーバ４００は、受信したデータに基づいてアドバイス情報を作成して（Ｓ１１０）、アドバイス情報送信時刻になると（Ｓ１１４にてＹＥＳ）、作成したアドバイス情報を各ユーザのパワーコンディショナ１２０に送信する（Ｓ１１６）。
【０１３３】
［アドバイス情報作成動作］
太陽光発電管理サーバ４００は、毎時０５分に各ユーザ毎に受信したデータに基づいて、時間帯毎の発電電力量、消費電力量、買電電力量および売電電力量を記憶して、それらを日毎、月毎にそれぞれ積算する（Ｓ１２０、Ｓ１２２）。太陽光発電管理サーバ４００は、地域ＩＤが同じユーザを抽出して、地域ＩＤが同じ地域における積算発電電力量の平均値を算出する（Ｓ１２４）。太陽光発電管理サーバ４００は、受信した発電電力量の積算値が算出した平均値よりも２０％以上下回るユーザのユーザＩＤを抽出して（Ｓ１２６）、抽出したユーザ向けのアドバイス情報として、太陽光発電装置１００に何らかの異常が発生していることを表わす情報を作成する。
【０１３４】
太陽光発電管理サーバ４００は、地域ＩＤに基づいて、地域毎かつ時間帯毎の日射量データを固定ディスク４７４から読出して（Ｓ１３０）、読出された日射データに基づいて、計算発電電力量を算出する（Ｓ１３２）。太陽光発電管理サーバ４００は、受信して積算された発電電力量が、計算により算出された計算発電電力量よりも２０％以上下回るユーザのユーザＩＤを抽出して（Ｓ１３４）、抽出したユーザ向けのアドバイス情報として太陽光発電装置１００に何らかの異常が発生していることを表わす情報を作成する（Ｓ１３６）。
【０１３５】
パワーコンディショナ１２０から太陽光発電管理サーバ４００が受信したデータに短絡電流値が含まれる場合には（Ｓ１３８にてＹＥＳ）、太陽光発電管理サーバ４００は、地域ＩＤが同じユーザを抽出して地域毎の短絡電流平均値を算出する（Ｓ１４０）。太陽光発電管理サーバ４００は、受信した短絡電流値が、算出された短絡電流平均値よりも２０％以上下回るユーザのユーザＩＤを抽出して（Ｓ１４２）、抽出されたユーザＩＤ向けのアドバイス情報として、太陽光発電装置１００に何らかの異常が発生していることを表わす情報を作成する（Ｓ１４４）。
【０１３６】
太陽光発電管理サーバ４００は、月末日の最終データを受信した場合には（Ｓ１４６にてＹＥＳ、Ｓ１４８にてＹＥＳ）、１ヶ月分の発電電力量と消費電力量とに基づいて、自家発電率（＝発電電力量／消費電力量）を算出する（Ｓ１５０）。太陽光発電管理サーバ４００は、算出されたユーザ毎の自家発電率に基づいて、同じ地域ＩＤにおける自家発電率の平均値と、自家発電率の順位とを算出する（Ｓ１５４）。太陽光発電管理サーバ４００は、算出された自家発電率と自家発電率の平均値と自家発電率順位とに基づいて、ユーザ毎のアドバイス情報を作成する（Ｓ１５６）。
【０１３７】
太陽光発電管理サーバ４００は、月末日の最終データを受信した場合には（Ｓ１４６にてＹＥＳ、Ｓ１４８にてＹＥＳ）、各ユーザ毎の時間帯別電力チャートを作成する（Ｓ１５８）。太陽光発電管理サーバ４００は、時間帯別の買電電力量と売電電力量とを算出して（Ｓ１６０、Ｓ１６２）、電力会社別の買電・売電料金テーブルを固定ディスク４７４から読出して（Ｓ１６４）、今月を含む過去１２ヶ月分の電力料金を電力会社別かつ契約種類別に算出する（Ｓ１６６）。太陽光発電管理サーバ４００は、最も安い支払金額である電力会社と契約種類とを抽出して（Ｓ１６８）、抽出された電力会社および契約種類と、算出した電力料金とに基づくアドバイス情報を作成する（Ｓ１７０）。
【０１３８】
［パワーコンディショナ  アドバイス情報表示動作］
パワーコンディショナ１２０の表示・操作部１３２には、アドバイス情報を太陽光発電管理サーバ４００から受信するまで（Ｓ２３０にてＮＯ）、発電電力量が表示されている（Ｓ２３２）。表示・操作部１３２において表示切換操作を行なうか（Ｓ２３４にてＹＥＳ）、太陽光発電管理サーバ４００からアドバイス情報を受信すると（Ｓ２３０にてＹＥＳ）、アドバイス情報がデータ処理・記憶部１３０から読出され（Ｓ２３８）、アドバイス情報が表示・操作部１３２に表示される（Ｓ２４０）。アドバイス情報の表示から一定時間が経過し（Ｓ２４２にてＹＥＳ）、表示・操作部１３２において表示終了入力を行なうと（Ｓ２４４にてＹＥＳ）、アドバイス情報表示動作は終了する。一方、アドバイス情報が一定時間経過するまで表示された後、表示・操作部１３２において表示終了入力を行なわないと（Ｓ２４４にてＮＯ）、表示操作部１３２にて表示されたアドバイス情報の表示が発電電力量の表示に切換わる（Ｓ２３２）。
【０１３９】
図１４〜図２１を参照して、パワーコンディショナ１２０の表示・操作部１３２におけるアドバイス情報などの表示例について説明する。
【０１４０】
図１４を参照して、パワーコンディショナ１２０の表示・操作部１３２には、アドバイス情報を受信しない場合（Ｓ２３０にてＮＯ）、発電電力量などが表示される（Ｓ２３２）。このとき、表示・操作部１３２の監視モニタには、発電電力量、消費電力量、買電電力量、売電電力量、今月の発電電力量、今年の発電電力量、この太陽光発電装置を設置してからのトータルの発電電力量、および、そのトータルの発電電力量を火力発電所にて発電したと仮定した場合に削減できた二酸化炭素の排出量が表示されている。このとき表示される発電電力量などのデータは、パワーコンディショナ１２０の制御部１２６が、ＤＣ／ＡＣインバータ部１２２、電力検知センサ１４２、売電電力量計１６０および買電電力量計１７０から受信したデータに基づいて算出されるものである。また、発電電力量から二酸化炭素量への換算に必要なデータは、データ処理・記憶部１３０に記憶されている。
【０１４１】
アドバイス情報を太陽光発電管理サーバ４００から受信するか（Ｓ２３０にてＹＥＳ）、発電電力が表示されているときに表示・操作部１３２において表示切換操作が行なわれると（Ｓ２３２にてＹＥＳ）、監視モニタにはアドバイス情報が表示される。
【０１４２】
図１５を参照して、同じ地域ＩＤにおける太陽光発電装置１００の発電電力量の平均値よりも２０％以上発電電力量が下回るとして抽出されたユーザには、太陽電池アレイ１１０に異常がないか否かの確認を推奨するアドバイス情報が表示される。このとき、監視モニタには、現在の発電電力量と、この地域における発電電力量の平均値とが表示される。
【０１４３】
図１６を参照して、オンライン気象情報配信サーバ５００から受信した地域毎かつ時間帯毎の日射量データに基づいて算出された計算発電電力量よりも、発電電力量が２０％以上下回るとして抽出されたユーザには、太陽電池アレイ１１０に異常がない否かの確認を推奨するアドバイス情報が表示される。このとき、監視モニタには、発電電力量と、この地域における計算発電電力量と、計算発電電力量の算出根拠となった日射量データとが表示される。
【０１４４】
図１７を参照して、短絡電流値のデータが太陽光発電サーバに送信され（Ｓ１３８にてＹＥＳ）、同じ地域ＩＤにおける太陽光発電装置１００の短絡電流値の平均値よりも測定した短絡電流値が２０％以上下回るとして抽出されたユーザには、太陽電池アレイ１１０に異常がないか否かの確認を推奨するアドバイス情報が表示される。このとき、監視モニタには、測定された短絡電流値と、この地域における短絡電流値の平均値とが表示される。
【０１４５】
図１８を参照して、月末日の最終データを受信した後に、自家発電率に関するアドバイス情報が表示される。１ヶ月分の発電電力量と消費電力量とに基づく自家発電率が表示され、地域ＩＤが同じ地域における自家発電率の平均値と、その地域における自家発電率に基づく順位とが表示される。また、太陽電池アレイに異常が発生していないのに（図１５〜図１７に示すような太陽電池アレイ１１０の異常が検知されていない）自家発電率が低い場合には、消費電力が多いため、消費電力の低減に努めるようなアドバイス情報が表示される。
【０１４６】
図１９〜図５９を参照して、月末日の最終データを受信した後に作成される、ユーザ毎の時間帯別電力チャート等について説明する。なお、以下の説明では、１２月末日の最終データを受信して、１月〜１２月の１２ヶ月間のデータに基づいて、時間帯毎別の年間電力量を算出して時間帯別電力チャートを作成するとともに、電力料金を算出するものとする。
【０１４７】
図１９に示すように、時間帯別電力チャートとは、時間帯毎に、消費電力量と発電電力量とをそれぞれ１２ヶ月分積算した電力量に基づいて、作成されるものである。また、このような電力チャートに基づいて、お勧めの電力売買契約を有する電力会社と契約種類とが監視モニタに表示される。図１９に示すユーザの場合には、図２２、図２３に示す太陽光発電装置１００の発電電力量に対して、図２４、図２５に示す消費電力であるものとする。それぞれの時間帯毎に、発電電力量と消費電力量との差を求めた買電電力量（図２６、図２７）と、売電電力量（図２８、図２９）とを算出して、契約種類毎に年間支払電力料金を算出する。
【０１４８】
たとえば、図３０に示すように、Ａ電力会社の従量電灯Ａ契約によると、買電電力料金は、１５ｋＷｈまでは基本料金３０１円であり、１５〜１２０ｋＷｈの場合には１ｋＷｈ当り１８．４８円、１２０〜２８０ｋＷｈの場合には１ｋＷｈ当り２４．４８円、２８０ｋＷｈ以上の場合には１ｋＷｈ当り２６．７９円である。この買電料金テーブルに基づいて、１月〜１２月の買電電力に対してＡ電力会社に支払う電力料金が５３０００円と算出される。
【０１４９】
図３１を参照して、このユーザの従量電灯Ａ契約によると、売電電力料金は、１２０〜２８０ｋＷｈの単価１ｋＷｈ当り２４．４８円が適用され、１月〜１２月の売電電力に対してＡ電力会社から受取る電力料金が合計４３６４９円になる。
【０１５０】
図３０に示す電力会社への支払料金５３０００円と、図３１に示す電力会社からの受取料金４３６４９円との差額である９３５１円が、このユーザがＡ電力会社と従量電灯Ａ契約した場合の年間支払額になる。
【０１５１】
なお、各電力会社との契約において、買電電力の電力料金単価と、売電電力の電力料金単価とは同一であり、かつ、売電電力量の料金単価は、１ヶ月の買電電力量の電力料金単価が採用されるものとする。すなわち、図３１に示すように、１月の買電電力量は２７４．９ｋＷｈであるため、１２０〜２８０ｋＷｈの場合の電力料金単価が採用されて、売電電力料金は１ｋＷｈ当り２４．２８円になる。
【０１５２】
さらに、同じように１月〜１２月分の電力料金が、料金体系が異なる従量電灯Ｂ契約について算出される。その結果、買電電力料金が６９８３１円と算出され（図３２）、売電電力料金が３４９４８円と算出される（図３３）。その結果、このユーザのＡ電力会社の従量電灯Ｂ契約における年間支払額は３４８８３円になる。
【０１５３】
さらに、同じように１月〜１２月分の電力料金が、料金体系が夜間２３時〜翌７時までの電力料金単価が６．７８円と昼間に比べて格段に安い時間帯別電灯契約について算出される。その結果、買電電力料金が６４７８７円と算出され（図３４）、売電電力料金が４８６４２円と算出される（図３５）。その結果、このユーザのＡ電力会社の時間帯別電灯契約における年間支払額は１６１４５円になる。
【０１５４】
以上のような計算の結果、このユーザがＡ電力会社に年間支払う金額は、従量電灯Ａ契約をした場合が９３５１円、従量電灯Ｂ契約をした場合が３４８８３円、時間帯別電灯契約をした場合が１６８４５円となり、最も安くなる従量電灯Ａを推奨する電力売買契約とするアドバイス情報が表示される。図１９に示すように、監視モニタには、お勧めの電力売買契約は従量電灯Ａ契約であること、従量電灯Ｂ契約との差額および時間帯別電灯契約との差額が表示される。
【０１５５】
なお、上述の説明では、Ａ電力会社１社について複数の電力売買契約に対する年間支払額を比較したが、これに加えて、Ｂ電力会社、Ｃ電力会社等の複数の電力会社の複数の電力売買契約に基づいて年間支払額を比較するようにしてもよい。また、年間支払額ではなく、月間でも６ヶ月間の支払額を比較するようにしてもよい。
【０１５６】
図２０に、別のユーザの時間帯別電力チャートを示す。このユーザは、図１９に示すユーザに比較して、夜間の消費電力量が大きいことが特徴である。図２０に示すユーザは、図１９に示すユーザと同じ地域において同じ太陽電池アレイ１１０を使用しているため、図１９に示すユーザと同じく、図２０に示すユーザの発電電力量は図２２、図２３に示されるものになる。
【０１５７】
図３６、図３７に、このユーザの消費電力量を示す。前述の説明のとおり、このユーザは、深夜の電力消費量が多いことが特徴である。
【０１５８】
図３８、図３９に、このユーザの買電電力量を、図４０、図４１に、このユーザの売電電力量を示す。このユーザがＡ電力会社と従量電灯Ａ契約した場合について、買電電力に対する電力料金を図４２に、売電電力に対する電力料金を図４３に示す。図４２および図４３を参照して、このユーザがＡ電力会社と従量電灯Ａ契約した場合の年間支払額は１９３１８円になる。同じようにして、図４４および図４５を参照して、このユーザがＡ電力会社と従量電灯Ｂ契約した場合の年間支払額は４２８８３円に、図４６および図４７を参照して、このユーザがＡ電力会社と時間帯別電灯契約した場合の年間支払額は２７８６円になる。
【０１５９】
この結果、図２０に示すように、監視モニタには、お勧めの電力売買契約が時間帯別電灯契約であること、従量電灯Ａ契約との差額および従量電灯Ｂ契約との差額が表示される。
【０１６０】
図２１に、さらに別のユーザの時間帯別電力チャートを示す。このユーザは、図１９に示すユーザに比較して、年間を通じて全時間帯の消費電力量が大きいことが特徴である。図２１に示すユーザも、図１９に示すユーザと同じ地域において同じ太陽電池アレイ１１０を使用しているため、図１９に示すユーザと同じく、図２０に示すユーザの発電電力量は図２２、図２３に示されるものになる。
【０１６１】
図４８、図４９に、このユーザの消費電力量を示す。前述の説明のとおり、このユーザは、年間を通じて全時間帯で消費電力量が大きいことが特徴である。
【０１６２】
図５０、図５１に、このユーザの買電電力量を、図５２、図５３に、このユーザの売電電力量を示す。このユーザがＡ電力会社と従量電灯Ａ契約した場合について、買電電力に対する電力料金を図５４に、売電電力に対する電力料金を図５５に示す。図５４および図５５を参照して、このユーザがＡ電力会社と従量電灯Ａ契約した場合の年間支払額は１６３５３９円になる。同じようにして、図５６および図５７を参照して、このユーザがＡ電力会社と従量電灯Ｂ契約した場合の年間支払額は１５８９４４円に、図５８、図５９を参照して、このユーザがＡ電力会社と時間帯別電灯契約した場合の年間支払額は１７２５７７円になる。
【０１６３】
この結果、図２１に示すように、監視モニタには、お勧めの電力売買契約が従量電灯Ｂであること、従量電灯Ａ契約との差額および時間帯別電灯との差額が表示される。
【０１６４】
以上のようにして、本実施の形態に係る太陽光発電システムは、ネットワークを介して複数の太陽光発電光装置からの情報を分析して異常検知情報を作成したり、太陽光発電装置からの情報を分析して電力料金に対するアドバイス情報を作成したりすることができる。その結果、太陽光発電装置を設置したユーザの費用の発生を抑えることにより、ユーザの太陽光発電装置の導入意欲が高まり、クリーンなエネルギである太陽光発電による発電量を増加させることができる太陽光発電管理システムを提供することができる。
【０１６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】太陽光発電管理システムの全体構成図である。
【図２】本発明の実施に形態に係る太陽光発電装置管理サーバを実現するコンピュータの外観図である。
【図３】図２に示すコンピュータの制御ブロック図である。
【図４】本実施の形態に係る太陽光発電管理サーバにおけるアドバイス処理の制御の手順を示すフローチャートである。
【図５】本実施の形態に係る太陽光発電装置におけるアドバイス処理の制御の手順を示すフローチャートである。
【図６】太陽光発電装置から太陽光発電管理サーバに送信されるデータのデータ構造を示す図である。
【図７】太陽光発電管理サーバの固定ディスクに記憶されるユーザ情報管理データベースの構造を示す図である。
【図８】本実施の形態に係る太陽光発電管理サーバにおけるアドバイス情報作成処理の制御の手順を示すフローチャート（その１）である。
【図９】本実施の形態に係る太陽光発電管理サーバにおけるアドバイス情報作成処理の制御の手順を示すフローチャート（その２）である。
【図１０】本実施の形態に係る太陽光発電管理サーバにおけるアドバイス情報作成処理の制御の手順を示すフローチャート（その３）である。
【図１１】本実施の形態に係る太陽光発電管理サーバにおけるアドバイス情報作成処理の制御の手順を示すフローチャート（その４）である。
【図１２】本実施の形態に係る太陽光発電管理サーバにおけるアドバイス情報作成処理の制御の手順を示すフローチャート（その５）である。
【図１３】本実施の形態に係る太陽光発電装置におけるアドバイス情報表示処理の制御の手順を示すフローチャートである。
【図１４】本実施の形態に係る太陽光発電装置の表示・操作部に表示される画面の例を示す図（その１）である。
【図１５】本実施の形態に係る太陽光発電装置の表示・操作部に表示される画面の例を示す図（その２）である。
【図１６】本実施の形態に係る太陽光発電装置の表示・操作部に表示される画面の例を示す図（その３）である。
【図１７】本実施の形態に係る太陽光発電装置の表示・操作部に表示される画面の例を示す図（その４）である。
【図１８】本実施の形態に係る太陽光発電装置の表示・操作部に表示される画面の例を示す図（その５）である。
【図１９】本実施の形態に係る太陽光発電装置の表示・操作部に表示される画面の例を示す図（その６）である。
【図２０】本実施の形態に係る太陽光発電装置の表示・操作部に表示される画面の例を示す図（その７）である。
【図２１】本実施の形態に係る太陽光発電装置の表示・操作部に表示される画面の例を示す図（その８）である。
【図２２】本実施の形態に係る太陽光発電装置の月別および時間帯別（午前）の発電電力量を示す図である。
【図２３】本実施の形態に係る太陽光発電装置の月別および時間帯別（午後）の発電電力量を示す図である。
【図２４】本実施の形態に係る太陽光発電装置を設置したあるユーザの月別および時間帯別（午前）の消費電力量を示す図（その１）である。
【図２５】本実施の形態に係る太陽光発電装置を設置したあるユーザの月別および時間帯別（午後）の消費電力量を示す図（その１）である。
【図２６】本実施の形態に係る太陽光発電装置を設置したあるユーザの月別および時間帯別（午前）の買電電力量を示す図（その１）である。
【図２７】本実施の形態に係る太陽光発電装置を設置したあるユーザの月別および時間帯別（午後）の買電電力量を示す図（その１）である。
【図２８】本実施の形態に係る太陽光発電装置を設置したあるユーザの月別および時間帯別（午前）の売電電力量を示す図（その１）である。
【図２９】本実施の形態に係る太陽光発電装置を設置したあるユーザの月別および時間帯別（午後）の売電電力量を示す図（その１）である。
【図３０】本実施の形態に係る太陽光発電装置を設置したあるユーザの従量電灯Ａ契約時の月別の買電電力料金を示す図（その１）である。
【図３１】本実施の形態に係る太陽光発電装置を設置したあるユーザの従量電灯Ａ契約時の月別の売電電力料金を示す図（その１）である。
【図３２】本実施の形態に係る太陽光発電装置を設置したあるユーザの従量電灯Ｂ契約時の月別の買電電力料金を示す図（その１）である。
【図３３】本実施の形態に係る太陽光発電装置を設置したあるユーザの従量電灯Ｂ契約時の月別の売電電力料金を示す図（その１）である。
【図３４】本実施の形態に係る太陽光発電装置を設置したあるユーザの時間帯別電灯契約時の月別の買電電力料金を示す図（その１）である。
【図３５】本実施の形態に係る太陽光発電装置を設置したあるユーザの時間帯別電灯契約時の月別の売電電力料金を示す図（その１）である。
【図３６】本実施の形態に係る太陽光発電装置を設置したあるユーザの月別および時間帯別（午前）の消費電力量を示す図（その２）である。
【図３７】本実施の形態に係る太陽光発電装置を設置したあるユーザの月別および時間帯別（午後）の消費電力量を示す図（その２）である。
【図３８】本実施の形態に係る太陽光発電装置を設置したあるユーザの月別および時間帯別（午前）の買電電力量を示す図（その２）である。
【図３９】本実施の形態に係る太陽光発電装置を設置したあるユーザの月別および時間帯別（午後）の買電電力量を示す図（その２）である。
【図４０】本実施の形態に係る太陽光発電装置を設置したあるユーザの月別および時間帯別（午前）の売電電力量を示す図（その２）である。
【図４１】本実施の形態に係る太陽光発電装置を設置したあるユーザの月別および時間帯別（午後）の売電電力量を示す図（その２）である。
【図４２】本実施の形態に係る太陽光発電装置を設置したあるユーザの従量電灯Ａ契約時の月別の買電電力料金を示す図（その２）である。
【図４３】本実施の形態に係る太陽光発電装置を設置したあるユーザの従量電灯Ａ契約時の月別の売電電力料金を示す図（その２）である。
【図４４】本実施の形態に係る太陽光発電装置を設置したあるユーザの従量電灯Ｂ契約時の月別の買電電力料金を示す図（その２）である。
【図４５】本実施の形態に係る太陽光発電装置を設置したあるユーザの従量電灯Ｂ契約時の月別の売電電力料金を示す図（その２）である。
【図４６】本実施の形態に係る太陽光発電装置を設置したあるユーザの時間帯別電灯契約時の月別の買電電力料金を示す図（その２）である。
【図４７】本実施の形態に係る太陽光発電装置を設置したあるユーザの時間帯別電灯契約時の月別の売電電力料金を示す図（その２）である。
【図４８】本実施の形態に係る太陽光発電装置を設置したあるユーザの月別および時間帯別（午前）の消費電力量を示す図（その３）である。
【図４９】本実施の形態に係る太陽光発電装置を設置したあるユーザの月別および時間帯別（午後）の消費電力量を示す図（その３）である。
【図５０】本実施の形態に係る太陽光発電装置を設置したあるユーザの月別および時間帯別（午前）の買電電力量を示す図（その３）である。
【図５１】本実施の形態に係る太陽光発電装置を設置したあるユーザの月別および時間帯別（午後）の買電電力量を示す図（その３）である。
【図５２】本実施の形態に係る太陽光発電装置を設置したあるユーザの月別および時間帯別（午前）の売電電力量を示す図（その３）である。
【図５３】本実施の形態に係る太陽光発電装置を設置したあるユーザの月別および時間帯別（午後）の売電電力量を示す図（その３）である。
【図５４】本実施の形態に係る太陽光発電装置を設置したあるユーザの従量電灯Ａ契約時の月別の買電電力料金を示す図（その３）である。
【図５５】本実施の形態に係る太陽光発電装置を設置したあるユーザの従量電灯Ａ契約時の月別の売電電力料金を示す図（その３）である。
【図５６】本実施の形態に係る太陽光発電装置を設置したあるユーザの従量電灯Ｂ契約時の月別の買電電力料金を示す図（その３）である。
【図５７】本実施の形態に係る太陽光発電装置を設置したあるユーザの従量電灯Ｂ契約時の月別の売電電力料金を示す図（その３）である。
【図５８】本実施の形態に係る太陽光発電装置を設置したあるユーザの時間帯別電灯契約時の月別の買電電力料金を示す図（その３）である。
【図５９】本実施の形態に係る太陽光発電装置を設置したあるユーザの時間帯別電灯契約時の月別の売電電力料金を示す図（その３）である。
【符号の説明】
１００  太陽光発電装置、１１０  太陽電池アレイ、１２０  パワーコンディショナ、１４０  消費電力検出部、１５０  ユーザ負荷、１６０  売電電力量計、１７０  買電電力量計、２００、２１０、２２０  電力会社配電網、２０２、２１２、２２２  電力会社ネットワーク端末、３００  ネットワーク、４００  太陽光発電管理サーバ、４０６  管理端末、４５０  コンピュータ、４５２  コンピュータ本体、４５４  モニタ、４５６  ＦＤ駆動装置、４５８  ＣＤ−ＲＯＭ駆動装置、４６０  キーボード、４６２  マウス、５００  オンライン気象情報配信サーバ、６００  メンテナンス業者ネットワーク端末
【図１】
0003634731.tif 000002
【図２】
0003634731.tif 000003
【図３】
0003634731.tif 000004
【図４】
0003634731.tif 000005
【図５】
0003634731.tif 000006
【図６】
0003634731.tif 000007
【図７】
0003634731.tif 000008
【図８】
0003634731.tif 000009
【図９】
0003634731.tif 000010
【図１０】
0003634731.tif 000011
【図１１】
0003634731.tif 000012
【図１２】
0003634731.tif 000013
【図１３】
0003634731.tif 000014
【図１４】
0003634731.tif 000015
【図１５】
0003634731.tif 000016
【図１６】
0003634731.tif 000017
【図１７】
0003634731.tif 000018
【図１８】
0003634731.tif 000019
【図１９】
0003634731.tif 000020
【図２０】
0003634731.tif 000021
【図２１】
0003634731.tif 000022
【図２２】
0003634731.tif 000023
【図２３】
0003634731.tif 000024
【図２４】
0003634731.tif 000025
【図２５】
0003634731.tif 000026
【図２６】
0003634731.tif 000027
【図２７】
0003634731.tif 000028
【図２８】
0003634731.tif 000029
【図２９】
0003634731.tif 000030
【図３０】
0003634731.tif 000031
【図３１】
0003634731.tif 000032
【図３２】
0003634731.tif 000033
【図３３】
0003634731.tif 000034
【図３４】
0003634731.tif 000035
【図３５】
0003634731.tif 000036
【図３６】
0003634731.tif 000037
【図３７】
0003634731.tif 000038
【図３８】
0003634731.tif 000039
【図３９】
0003634731.tif 000040
【図４０】
0003634731.tif 000041
【図４１】
0003634731.tif 000042
【図４２】
0003634731.tif 000043
【図４３】
0003634731.tif 000044
【図４４】
0003634731.tif 000045
【図４５】
0003634731.tif 000046
【図４６】
0003634731.tif 000047
【図４７】
0003634731.tif 000048
【図４８】
0003634731.tif 000049
【図４９】
0003634731.tif 000050
【図５０】
0003634731.tif 000051
【図５１】
0003634731.tif 000052
【図５２】
0003634731.tif 000053
【図５３】
0003634731.tif 000054
【図５４】
0003634731.tif 000055
【図５５】
0003634731.tif 000056
【図５６】
0003634731.tif 000057
【図５７】
0003634731.tif 000058
【図５８】
0003634731.tif 000059
【図５９】
0003634731.tif 000060